(57)【要約】【課題】画像を表示する際に効率よく省電力化を図ることが可能な表示システム及び映像出力装置を提供する。【解決手段】チューナ１の受け付け手段は、液晶ディスプレイ２が映像を表示している場合に、液晶ディスプレイ２内部の記憶部に記憶された画像を表示させるための指示情報を受け付ける。チューナ１の出力手段は、受け付けた指示情報を液晶ディスプレイ２へ出力する。そして、チューナ１は受け付け手段により指示情報を受け付けた後に、映像の受信及び映像の出力を停止する。一方、液晶ディスプレイ２は、出力手段により出力された指示情報を受信した場合に、記憶部に記憶した画像を表示する。【選択図】図１
2010056831.tif 000002
【特許請求の範囲】
【請求項１】
映像出力装置及び該映像出力装置から出力される映像を表示する表示装置を有する表示システムにおいて、
前記映像出力装置は、
前記表示装置が前記映像を表示している場合に、前記表示装置内部の記憶部に記憶された画像を表示させるための指示情報を受け付ける受け付け手段と、
該受け付け手段により受け付けた指示情報を前記表示装置へ出力する出力手段と、
前記受け付け手段により指示情報を受け付けた後に、映像の受信及び映像の出力を停止する停止手段とを備え、
前記表示装置は、
前記出力手段により出力された指示情報を受信した場合に、前記記憶部に記憶した画像を表示する表示手段
を備えることを特徴とする表示システム。
【請求項２】
前記表示装置は、
前記出力手段により出力された指示情報を受信した場合に、発光中の発光部を消灯または減灯する手段と
を備えることを特徴とする請求項１に記載の表示システム。
【請求項３】
前記映像出力装置は、
映像の表示を希望する日時及びチャンネルを受け付ける手段と、
該手段により受け付けた日時及びチャンネルを記憶する予約記憶部と、
日時を出力する時計部と、
該時計部から出力される日時を参照し、前記停止手段により映像の受信及び映像の出力を停止した後に、前記予約記憶部に記憶した日時に達した場合に、映像の受信及び前記表示装置への映像の出力を開始する開始手段とを備え、
前記表示装置は、
前記開始手段により映像が出力された場合、前記表示手段により表示した画像の表示を中止する中止手段と、
該中止手段により画像の表示を中止した後に、前記映像出力装置から出力される映像を表示する手段と
を備えることを特徴とする請求項１または２に記載の表示システム。
【請求項４】
前記映像出力装置に接続される録画装置を備え、
前記映像出力装置は、
前記受け付け手段により指示情報を受け付けた場合に、前記録画装置へ、オン状態にある前記録画装置をスタンバイ状態へ切り替えるための切り替え信号を出力する手段
を備えることを特徴とする請求項１から３のいずれか一つに記載の表示システム。
【請求項５】
前記映像出力装置に情報を送信する遠隔操作装置を備え、
該遠隔操作装置は、
前記表示装置内部の記憶部に記憶された画像を表示させるための指示情報を、前記映像出力装置に送信するための第１操作部と、
該第１操作部とは別に設けられ、前記停止手段により映像の受信及び映像の出力を停止した前記映像出力装置に対し、映像の受信及び映像の出力を再開させる再開情報を送信するための第２操作部とを備え、
前記映像出力装置は、
前記停止手段により映像の受信及び映像の出力を停止している場合で、かつ、前記遠隔操作装置から前記第１操作部の操作に伴う指示情報を受け付けた場合に、該受け付けた指示情報を破棄する手段
を備えることを特徴とする請求項１から４のいずれか一つに記載の表示システム。
【請求項６】
前記映像出力装置は、
前記表示手段により表示する画像のサイズに関する情報を受け付けるサイズ受け付け手段と、
該サイズ受け付け手段により受け付けたサイズに関する情報を前記表示装置へ出力するサイズ出力手段とを備え、
前記表示手段は、
前記出力手段により出力された指示情報を受信した場合に、前記サイズ出力手段により出力されたサイズに関する情報に基づき、前記記憶部に記憶した画像を表示するよう構成してある
ことを特徴とする請求項１から５のいずれか一つに記載の表示システム。
【請求項７】
映像を表示装置へ出力する映像出力装置において、
前記表示装置が前記映像を表示している場合に、前記表示装置内部の記憶部に記憶された画像を表示させるための指示情報を受け付ける受け付け手段と、
該受け付け手段により受け付けた指示情報を前記表示装置へ出力する出力手段と、
前記受け付け手段により指示情報を受け付けた後に、映像の受信及び映像の出力を停止する停止手段と
を備えることを特徴とする映像出力装置。
【請求項８】
映像の表示を希望する日時及びチャンネルを受け付ける手段と、
該手段により受け付けた日時及びチャンネルを記憶する予約記憶部と、
前記停止手段により映像の受信及び映像の出力を停止した後に、前記予約記憶部に記憶した日時に達した場合に、映像の受信及び前記表示装置への映像の出力を開始する開始手段と
を備えることを特徴とする請求項７に記載の映像出力装置。
【発明の詳細な説明】
【技術分野】
【０００１】
本発明は、映像出力装置及び該映像出力装置から出力される映像を表示する表示装置を有する表示システム、並びに、映像出力装置に関する。
【背景技術】
【０００２】
近年、デジタルカメラ等で撮影した画像を表示する電子写真立てが普及している（例えば特許文献１及び２参照）。電子写真立ては、接続されたＵＳＢ（Universal Serial Bus）メモリ等から複数の画像を順次読み出し、これらを一定時間毎に切り替えて表示するものである。また表示装置は近年大型化及び薄型化が進んでいるところ、表示装置を設置する部屋の雰囲気を損ねる虞があった。
【０００３】
特に壁掛けタイプの表示装置の映像表示を停止した場合、表示装置が有する黒色が壁面積を占有することになり違和感を与えるという問題があった。このようなことから、非特許文献１に記載の如く、表示を停止している場合、予め記憶した画像またはＵＳＢから取り込んだ画像を順次表示する技術が提案されている。
【特許文献１】特開２００６−８０８４８号公報
【特許文献２】特開２００６−２５４０３５号公報
【非特許文献１】「http://www.sony-europe.com/pressrelease/id/1207064686203」ソニー株式会社  ２００８年４月９日
【発明の開示】
【発明が解決しようとする課題】
【０００４】
しかしながら、非特許文献１等に記載の表示装置は、画像を表示するために表示装置内部の各装置が動作しており、十分な省電力化を図ることができないという問題があった。
【０００５】
本発明は斯かる事情に鑑みてなされたものであり、その目的は、表示装置と映像出力装置とを分離した構成とし、画像の表示にあわせて映像出力装置を停止することにより、画像を表示する際に効率よく省電力化を図ることが可能な表示システム及び映像出力装置を提供することにある。
【課題を解決するための手段】
【０００６】
本発明に係る表示システムは、映像出力装置及び該映像出力装置から出力される映像を表示する表示装置を有する表示システムにおいて、前記映像出力装置は、前記表示装置が前記映像を表示している場合に、前記表示装置内部の記憶部に記憶された画像を表示させるための指示情報を受け付ける受け付け手段と、該受け付け手段により受け付けた指示情報を前記表示装置へ出力する出力手段と、前記受け付け手段により指示情報を受け付けた後に、映像の受信及び映像の出力を停止する停止手段とを備え、前記表示装置は、前記出力手段により出力された指示情報を受信した場合に、前記記憶部に記憶した画像を表示する表示手段を備えることを特徴とする。
【０００７】
本発明に係る表示システムは、前記表示装置は、前記出力手段により出力された指示情報を受信した場合に、発光中の発光部を消灯または減灯する手段とを備えることを特徴とする。
【０００８】
本発明に係る表示システムは、前記映像出力装置は、映像の表示を希望する日時及びチャンネルを受け付ける手段と、該手段により受け付けた日時及びチャンネルを記憶する予約記憶部と、日時を出力する時計部と、該時計部から出力される日時を参照し、前記停止手段により映像の受信及び映像の出力を停止した後に、前記予約記憶部に記憶した日時に達した場合に、映像の受信及び前記表示装置への映像の出力を開始する開始手段とを備え、前記表示装置は、前記開始手段により映像が出力された場合、前記表示手段により表示した画像の表示を中止する中止手段と、該中止手段により画像の表示を中止した後に、前記映像出力装置から出力される映像を表示する手段とを備えることを特徴とする。
【０００９】
本発明に係る表示システムは、前記映像出力装置に接続される録画装置を備え、前記映像出力装置は、前記受け付け手段により指示情報を受け付けた場合に、前記録画装置へ、オン状態にある前記録画装置をスタンバイ状態へ切り替えるための切り替え信号を出力する手段を備えることを特徴とする。
【００１０】
本発明に係る表示システムは、前記映像出力装置に情報を送信する遠隔操作装置を備え、該遠隔操作装置は、前記表示装置内部の記憶部に記憶された画像を表示させるための指示情報を、前記映像出力装置に送信するための第１操作部と、該第１操作部とは別に設けられ、前記停止手段により映像の受信及び映像の出力を停止した前記映像出力装置に対し、映像の受信及び映像の出力を再開させる再開情報を送信するための第２操作部とを備え、前記映像出力装置は、前記停止手段により映像の受信及び映像の出力を停止している場合で、かつ、前記遠隔操作装置から前記第１操作部の操作に伴う指示情報を受け付けた場合に、該受け付けた指示情報を破棄する手段を備えることを特徴とする。
【００１１】
本発明に係る表示システムは、前記映像出力装置は、前記表示手段により表示する画像のサイズに関する情報を受け付けるサイズ受け付け手段と、該サイズ受け付け手段により受け付けたサイズを前記表示装置へ出力するサイズ出力手段とを備え、前記表示手段は、前記出力手段により出力された指示情報を受信した場合に、前記サイズ出力手段により出力されたサイズに基づき、前記記憶部に記憶した画像を表示するよう構成してあることを特徴とする。
【００１２】
本発明に係る映像出力装置は、映像を表示装置へ出力する映像出力装置において、前記表示装置が前記映像を表示している場合に、前記表示装置内部の記憶部に記憶された画像を表示させるための指示情報を受け付ける受け付け手段と、該受け付け手段により受け付けた指示情報を前記表示装置へ出力する出力手段と、前記受け付け手段により指示情報を受け付けた後に、映像の受信及び映像の出力を停止する停止手段とを備えることを特徴とする。
【００１３】
本発明に係る映像出力装置は、映像の表示を希望する日時及びチャンネルを受け付ける手段と、該手段により受け付けた日時及びチャンネルを記憶する予約記憶部と、前記停止手段により映像の受信及び映像の出力を停止した後に、前記予約記憶部に記憶した日時に達した場合に、映像の受信及び前記表示装置への映像の出力を開始する開始手段とを備えることを特徴とする。
【００１４】
本発明にあっては、映像出力装置の受け付け手段は、表示装置が映像を表示している場合に、表示装置内部の記憶部に記憶された画像を表示させるための指示情報を受け付け、出力手段により、受け付けた指示情報を表示装置へ出力する。そして、受け付け手段により指示情報を受け付けた後に、映像の受信及び映像の出力を停止する。一方、表示装置は、出力手段により出力された指示情報を受信した場合に、記憶部に記憶した画像を表示する。
【００１５】
本発明にあっては、表示装置は、発光部を有し、出力手段により出力された指示情報を受信した場合、発光中の発光部を消灯または減灯する。
【００１６】
本発明にあっては、映像出力装置は、映像の表示を希望する日時及びチャンネルを受け付ける。予約記憶部は、受け付けた日時及びチャンネルを記憶する。そして、開始手段は時計部からの出力を参照し、停止手段により映像の受信及び映像の出力を停止した後に、予約記憶部に記憶した日時に達した場合に、映像の受信及び表示装置への映像の出力を開始する。表示装置の中止手段は、開始手段により映像が出力された場合、表示手段により表示した画像の表示を中止すると共に、映像出力装置から出力される映像を表示する。
【００１７】
本発明にあっては、映像出力装置にはさらに録画装置が接続される。そして、映像出力装置は、受け付け手段により指示情報を受け付けた場合に、録画装置へ、オン状態にある録画装置を、スタンバイ状態へ切り替えるための切り替え信号を出力する。
【００１８】
本発明にあっては、映像出力装置は、画像のサイズに関する情報を受け付け、受け付けたサイズを表示装置へ出力する。表示手段は、指示情報を受信した場合、出力されたサイズに関する情報に基づき、記憶部に記憶した画像を表示する。
【００１９】
本発明にあっては、映像出力装置に情報を送信する遠隔操作装置は、第１操作部及び当該第１操作部とは別に設けられる第２操作部を有する。この第１操作部は、表示装置内部の記憶部に記憶された画像を表示させるための指示情報を、映像出力装置へ送信するためのものである。一方、第２操作部は、停止手段により映像の受信及び映像の出力を停止した映像出力装置に対し、映像の受信及び映像の出力を再開させる再開情報を送信する。ここで映像出力装置は、停止手段により映像の受信及び映像の出力を停止している場合で、かつ、遠隔操作装置から第１操作部の操作に伴う指示情報を受け付けた場合に、当該受け付けた指示情報を破棄する。
【発明の効果】
【００２０】
当該システムの一観点によれば、映像出力装置を表示装置から分離し、表示装置に記憶した画像を表示する。この際、停止手段により映像出力装置の映像の受信及び映像の出力が停止する。これにより、表示装置における画像の表示に不要な映像出力装置の機能を停止させることができ、より省電力化を図ることが可能となる等、本発明は優れた効果を奏する。
【発明を実施するための最良の形態】
【００２１】
実施の形態１
以下本発明の実施の形態を、図面を参照して説明する。図１は表示システムの概要を示す模式図である。表示システムは映像出力装置１、表示装置２、遠隔操作装置３、通信線４、及び、可搬型記録媒体６を含む。映像出力装置１は地上デジタル放送、デジタル衛星放送、または、アナログ放送に係るテレビジョン放送信号を受信するチューナ（Set Top Box）、または、ＩＰ（Internet Protocol）ネットワークを介して外部のサーバコンピュータから配信される映像を受信する受信装置（Set Top Box）等である。以下では、一例として映像出力装置１を、地上デジタル放送に係る映像を受信し、受信した映像を表示装置２へ出力するチューナ１であるものとして説明する。
【００２２】
チューナ１は放送信号について信号処理を施した映像データ及び音声データからなるＡＶ（Audio and Visual）データを表示装置２へ出力する。チューナ１とは物理的に分離した表示装置２は例えば液晶ディスプレイ、有機ＥＬ（Electroluminescence）ディスプレイ、またはプラズマディスプレイ等であり、映像データを表示し、また、音声データを出力する。以下では、表示装置２を液晶ディスプレイ２と読み替えて説明する。
【００２３】
液晶ディスプレイ２は壁５にボルト等により取り付け、または、壁５の凹部に表示面を露出させて埋設されている。その他、液晶ディスプレイ２を図示しないラックに載置し、当該ラックを壁５近傍に設置するようにしても良い。以下では、液晶ディスプレイ２が壁５に取り付けられている例を用いて説明する。チューナ１は壁５に突設されたラック５１上に載置されている。なお、チューナ１はラック５１上に載置するほか、床に設置されるラック上に載置しても良く、また、壁５の凹部に正面を露出させて埋設するようにしても良い。チューナ１及び表示装置２は通信線４を介して接続されており、ＡＶデータ及び各種制御データを送受信する。本実施の形態においては、通信線４はＨＤＭＩ（High-Definition Multimedia Interface：登録商標）規格に基づくＨＤＭＩケーブル４を用いる例を説明するがこれに限るものではない。他の規格に基づくケーブルの他、６０ＧＨｚ帯のミリ波等を利用した無線通信によりＡＶデータ及び各種制御データを送受信するようにしても良い。
【００２４】
液晶ディスプレイ２の液晶パネルを含む表示モジュール等の表示部２４は映像データを表示する他、後述するように内部に記憶された画像データを表示する。液晶ディスプレイ２の正面底部にはＬＥＤ（Light-Emitting Diode）２２が正面を望んで配置されている。ＬＥＤ２２は映像データを表示する際に発光する。液晶ディスプレイ２の右側面には可搬型記録媒体６を挿入するためのスロット２１１が設けられている。可搬型記録媒体６は例えばＵＳＢメモリ、ＳＤ（登録商標）カード、または、メモリーカードであり、内部に表示部２４に表示するための画像データが記憶されている。
【００２５】
以下では、可搬型記録媒体６をＵＳＢメモリ６であるものとして説明し、またスロット２１１をＵＳＢスロット２１１であるものとして説明する。ＵＳＢスロット２１１にＵＳＢメモリ６が装着された場合、液晶ディスプレイ２はＵＳＢメモリ６内の画像データを読み出し、表示部２４に読み出した画像を表示する。遠隔操作装置３は例えば赤外線方式、Ｂｌｕｅｔｏｏｔｈ（登録商標）またはＲＦ方式による遠隔操作装置であり、チューナ１または液晶ディスプレイ２へ操作信号を送信する。以下ではＢｌｕｅｔｏｏｔｈを用いた例を挙げて説明し、また遠隔操作装置３をリモコン３と読み替えて説明する。リモコン３は各種操作キーに加えて、電源キー３３１、ピクチャーキー３３２及び終了キー３３３が設けられている。なお、リモコン３はチューナ１及び液晶ディスプレイ２それぞれ個別に用意しても良い。
【００２６】
以下に表示システムの概要を説明する。チューナ１から出力された映像データに基づき、液晶ディスプレイ２が映像データを表示部２４に表示している際に、ピクチャーキー３３２が操作された場合、液晶ディスプレイ２は映像データの表示を中止し、内部に記憶した画像データを読み出す。また、チューナ１から出力された映像データに基づき、液晶ディスプレイ２が映像データを表示部２４に表示しており、更にＵＳＢメモリ６がＵＳＢスロット２１１に装着されている際に、ピクチャーキー３３２が操作された場合、液晶ディスプレイ２は映像データの表示を中止し、ＵＳＢメモリ６内の画像データを読み出す。
【００２７】
液晶ディスプレイ２は読み出した画像データを絵画の如く表示部２４に表示する。これにあわせて液晶ディスプレイ２は省電力モードに移行する。液晶ディスプレイ２はＬＥＤ２２を消灯する。チューナ１は放送信号（映像）の受信を停止すると共に、映像データの出力を停止し、スタンバイ状態へ移行する。画像データが表示されている際に、終了キー３３３が操作された場合、液晶ディスプレイ２は画像データの表示を中止する。チューナ１は放送信号の受信を再開し、映像データを液晶ディスプレイ２へ再び出力する。
【００２８】
液晶ディスプレイ２が絵画の如く画像データを表示している際に、ピクチャーキー３３２を操作したとしてもチューナ１または液晶ディスプレイ２はその操作データ（指示情報）を破棄する。逆に、物理的に異なる位置に設けられた終了キー３３３または電源キー３３１の操作データのみを受け付ける。チューナ１が操作信号に基づき放送信号の取得を再開し、信号処理を経て映像データを出力するまでには所定時間を要する。映像データが表示されないと誤解するユーザはこの所定時間の間に慌ててピクチャーキー３３２を何度も操作する可能性がある。これではユーザの意思に反して、再び画像データの表示命令と映像データの表示命令とが何度も繰り返し実行されることになる。これを回避するため、ピクチャーキー３３２の操作データを破棄し、物理的にピクチャーキー３３２とは異なる位置に設けた終了キー３３３の操作データのみを受け付ける。これ以降は、絵画の如く機能する液晶ディスプレイ２が再び映像データの表示装置として機能する。以下に詳細を説明する。
【００２９】
図２はチューナ１のハードウェア構成を示すブロック図であり、図３は液晶ディスプレイ２のハードウェア構成を示すブロック図である。チューナ１はマイクロプロセッサ及びキャッシュメモリ等で構成される第１制御部１１、入力部１３、記憶部１５、受信部１６、時計部１８、放送受信部１９、第１ＬＥＤ１２１、第２ＬＥＤ１２２、信号処理部１９１、及びＨＤＭＩ信号送信部１９２等を含んで構成される。また、液晶ディスプレイ２はマイクロプロセッサ及びキャッシュメモリ等で構成される第２制御部２１、発光部であるＬＥＤ２２、入力部２３、表示部２４、記憶部２５、受信部２６、時計部２８、信号処理部２９、ＬＥＤバックライト２１０、ＵＳＢスロット２１１、データ分離部２９１、ＨＤＭＩ信号受信部２９２及びスピーカ２９３等を含んで構成される。
【００３０】
まずチューナ１について説明する。チューナ１の第１制御部１１は、バス１７を介してチューナ１のハードウェア各部と接続されていて、それらを制御すると共に、メインメモリ等の記憶部１５に格納された制御プログラム１５Ｐに従って、本実施形態に係る種々のソフトウェア的機能を実行する。入力部１３はチューナ１の筐体前面に設けられた操作ボタン等であり、入力された操作データを第１制御部１１へ出力する。第１ＬＥＤ１２１は例えばスタンバイ状態にあることを示す赤色に発光するＬＥＤであり、第１制御部１１の指示に従いオンまたはオフする。第２ＬＥＤ１２２は例えばオン状態であることを示す青色に発光するＬＥＤであり、第１制御部１１の指示に従いオンまたはオフする。第１ＬＥＤ１２１及び第２ＬＥＤ１２２はチューナ１の筐体前面に設けられ、チューナ１がオフ状態の場合、第１ＬＥＤ１２１及び第２ＬＥＤ１２２は共にオフ状態となる。
【００３１】
受信部１６はリモコン３からの操作データを受信するＢｌｕｅｔｏｏｔｈ規格に基づくトランシーバである。図４はリモコン３のハードウェア構成を示すブロック図である。リモコン３は制御部３１、送信部３６、電源キー３３１、第１操作部であるピクチャーキー３３２、及び、第２操作部である終了キー３３３等を含んで構成される。制御部３１はバス３７を介して各種ハードウェアに接続されており、各種処理を実行する。送信部３６は電源キー３３１、ピクチャーキー３３２または終了キー３３３等から出力された操作データをチューナ１の受信部１６へ送信する。電源キー３３１が操作された場合、オンまたはオフを示す操作データが送信される。
【００３２】
ピクチャーキー３３２が操作された場合、液晶ディスプレイ２の記憶部２５に記憶された画像データを表示するための指示情報たる操作データが送信部３６を介して、受信部１６へ送信される。また、終了キー３３３が操作された場合、チューナ１に対し映像データの出力及び放送の受信を再開させる再開情報たる操作データが送信部３６を介して、受信部１６へ送信される。図２に戻り、時計部１８は日時情報を第１制御部１１へ出力する。チューナ１と液晶ディスプレイ２とはＨＤＭＩケーブル４を介して接続されており、ＡＶデータはＨＤＭＩ線４１により、また、各種制御情報はＣＥＣ線４２により送受信される。
【００３３】
第１制御部１１はＣＥＣ線４２を介して液晶ディスプレイ２の第２制御部２１に接続されており、ＨＤＭＩ規格に基づき情報の送受信を行う。放送受信部１９はテレビジョン放送信号を受信する。なお本実施の形態においてはデジタル放送に係るデータを受信する例を挙げて説明するが、アナログ放送信号を受信しても良い。チューナ１はＭＰＥＧ（Moving Pictures Experts Group）−２等のプロトコルにより伝送されるデジタル放送に係るデータストリームを受信する。チューナ１は復調処理及び復号処理等を行い、復調等の処理が行われたＡＶデータを信号処理部１９１へ出力する。
【００３４】
信号処理部１９１は内部にＲ、Ｇ、Ｂ各色を補正する補正回路及び各種の映像信号のフォーマットを表示部２４で表示することが可能な画素数に変換するスケーラ等を含む。信号処理部１９１にて画像処理等が行われたＡＶデータはＨＤＭＩ信号送信部１９２へ出力される。ＨＤＭＩ信号送信部１９２はＡＶデータを液晶ディスプレイ２のＨＤＭＩ信号受信部２９２へ、ＨＤＭＩ線４１を介して送信する。
【００３５】
続いて液晶ディスプレイ２について説明する。ＨＤＭＩ信号受信部２９２は受信したＡＶデータを信号処理部２９へ出力する。信号処理部２９は映像データと音声データとを分離し、映像データをデータ分離部２９１へ出力し、音声データをスピーカ２９３へ映像データの出力に同期させて出力する。データ分離部２９１は液晶表示モジュールである表示部２４及びＬＥＤバックライト２１０に接続されている。なおＬＥＤバックライト２１０に代えて冷陰極管を用いたバックライトであっても良い。データ分離部２９１は映像データに含まれるＬＥＤデータを分離し、分離後の映像データを表示部２４へ、分離したＬＥＤデータをＬＥＤバックライト２１０へ出力する。
【００３６】
信号処理部２９は第２制御部２１の指示のもと、表示部２４の表示制御を行うほかＬＥＤバックライト２１０のＰＷＭ（Pulse-Width Modulation）制御を行う。ＬＥＤデータにはＬＥＤの光度調整に関する情報としてパルス幅に関する情報を出力する。なお、本実施の形態においてはＬＥＤバックライト２１０の明るさ制御をＰＷＭ制御により行う例を説明するが、電流値を変化させることにより明るさを制御しても良い。第２制御部２１は、バス２７を介して液晶ディスプレイ２のハードウェア各部と接続されていて、それらを制御すると共に、記憶部２５に格納された制御プログラム２５Ｐに従って、本実施形態に係る種々のソフトウェア的機能を実行する。ＬＥＤ２２は例えば緑色のＬＥＤであり、表示部２４に映像データを表示する際に点灯する。入力部２３は液晶ディスプレイ２筐体側面に設けられた各種操作ボタンであり、操作に伴う操作データを第２制御部２１へ出力する。
【００３７】
受信部２６は図示しない液晶ディスプレイ２用のリモコン３からの操作データを受け付け、受け付けた操作データを第２制御部２１へ出力する。なお、本実施の形態においてはリモコン３から送信される操作データはチューナ１の受信部１６へ送信される例を説明するがこれに限るものではない。リモコン３から送信される操作データを液晶ディスプレイ２の受信部２６にて受信するようにしても良い。この場合、操作データは第２制御部２１へ出力され、第２制御部２１はＣＥＣ線４２を介して操作データを第１制御部１１へ出力する。時計部２８は日時情報を第２制御部２１へ出力する。
【００３８】
大容量メモリ等で構成される記憶部２５は上述した制御プログラム２５Ｐの他、画像データファイル２５１及びモードファイル２５２を格納している。なお、画像データファイル２５１は図示しない専用のメモリに格納しても良い。画像データファイル２５１にはＪＰＥＧ（Joint Photographic Experts Group）等の形式による画像データが記憶されている。同様にＵＳＢメモリ６内にもユーザが撮影した画像データ等を記憶した画像データファイル６５が記憶されている。表示部２４に映像データが表示されている場合に、画像データの表示を希望するユーザはリモコン３のピクチャーキー３３２を操作する。
【００３９】
制御部３１はピクチャーキー３３２から出力される操作データ（以下、第１操作データという）を受け付け、送信部３６を介して第１操作データを送信する。チューナ１の受信部１６は受信した第１操作データを第１制御部１１へ出力する。第１制御部１１はＣＥＣ線４２を介して第２制御部２１へ第１操作データを出力する。これにあわせて、第１制御部１１は放送の受信を停止し、またＨＤＭＩ信号送信部１９２からの映像データの出力を停止する。なお、音声データの出力もあわせて停止される。以下では、音声データに関する記載を適宜省略する。さらに第１制御部１１は放送受信時及び映像データ出力時に点灯していた第２ＬＥＤ１２２を消灯し、逆に第１ＬＥＤ１２１をオンとする。これにより、チューナ１はスタンバイ状態となる。なお、チューナ１の電源は完全にオフとはならず、引き続き受信部１６は操作データの受信が可能である。
【００４０】
液晶ディスプレイ２は、映像データの出力停止に伴い、映像データの表示を停止する。第１操作データを、ＣＥＣ線４２を介して受信した第２制御部２１は、画像データファイル２５１に記憶された画像データを読み出し、表示部２４へ出力する。第２制御部２１は第１操作データの受信をトリガにＬＥＤ２２を消灯する。なお、本実施の形態においてはＬＥＤ２２を消灯する例を挙げて説明するが、減灯させても良い。例えば、第２制御部２１はＬＥＤ制御部（図示せず）に対し、減灯信号を出力し、ＬＥＤ制御部はこれを受けてＬＥＤ２２を例えばＰＷＭ制御により、所定の出力（例えば１０％程度の出力）で減灯させる。また、本実施の形態においては映像を表示している際に発光するＬＥＤ２２を例に挙げて説明するが、これに限るものではない。例えば、視聴予約または録画予約が設定されている場合に点灯するＬＥＤ（図示せず）、一定時間経過後に液晶ディスプレイをスタンバイ状態へ移行させるスリープモードが設定されている場合に点灯するＬＥＤ（図示せず）、または、液晶ディスプレイ２周囲の明るさを検出する明るさセンサ（図示せず）が動作していることを示すＬＥＤ（図示せず）等、液晶ディスプレイ２の設定または動作状態に応じて発光するＬＥＤも、第１操作データを受信した場合に、あわせて消灯または減灯させても良い。なお、ＵＳＢスロット２１１にＵＳＢメモリ６が装着されている場合、第２制御部２１は画像データファイル６５から画像データを読み出し、同様に表示部２４へ表示する。画像データファイル２５１または画像データファイル６５に複数の画像データが記憶されている場合、第２制御部２１は時計部２８から出力される日時を参照し、一定時間毎に画像データを切り替えて表示する。
【００４１】
図５はモードファイル２５２のレコードレイアウトを示す説明図である。モードファイル２５２はモードに対応づけてＬＥＤバックライト２１０の強度に関する情報を記憶している。モードファイル２５２はモードフィールド、ＬＥＤ強度フィールド及び時間フィールドを含んで構成される。モードフィールドには、複数のモードが記憶されている。ＬＥＤ強度フィールドにはモードに対応づけて設定すべきＬＥＤバックライト２１０の最大強度が記憶されている。例えばモード１は映像データを表示する際のＬＥＤバックライト２１０の最大発光強度として基準となる１００％を記憶している。なお、１００％は最大発光強度であり、映像データに係る輝度に応じて１００％を最大として適宜０％〜１００％の間で増減する。
【００４２】
これに対して、モード２はピクチャーキー３３２の操作に伴う第１操作データを受信した際に選択されるモードである。モード２は省電力を図るべく、ＬＥＤ強度フィールドには例えば３０％と記憶されている。モード２の場合、画像データを表示する際、最大発光強度はモード１の７割減である３０％となり、適宜０％〜３０％の間で増減する。なお、画像データを表示する際は３０％で固定しても良い。さらに省電力を図る場合はモード３が選択される。モード３はＬＥＤ強度がモード１に対して最大発光強度１０％と記憶されている。モード３の場合、適宜０％〜１０％の間で増減するようＰＷＭ制御が行われる。ユーザはリモコン３または入力部２３等から画像データを表示する際のモードの選択、及び、ＬＥＤ強度値を変更することが可能である。また図５に示す如く、時間フィールドを設け、時間帯に応じてモードを変更するようにしても良い。時間フィールドには、第１操作データが出力された際に選択されるモード２及び３に対応づけて時間が記憶されている。第２制御部２１は画像データを表示する際の時計部２８から出力される時間に対応するモードを、モードファイル２５２から読み出す。
【００４３】
例えば明るい午前９時から夕方５時までは、ＬＥＤ強度が大きいモード２が読み出される。第２制御部２１は信号処理部２９に対し、ＬＥＤ強度が映像データ表示時に対し３０％となる制御を実行する命令を出力する。反対に周囲が暗くそれほど明るくする制御が不要な、夕方５時１分から午前８時５９分台まではモード３を選択する。第２制御部２１は信号処理部２９に対し、ＬＥＤ強度が映像データ表示時に対し１０％となる制御を実行する命令を出力する。時間フィールドの値もリモコン３等を通じて適宜の時間を設定することが可能である。
【００４４】
リモコン３から終了キー３３３が入力された場合、制御部３１は終了キーの操作に基づく再開情報たる操作データ（以下、第２操作データという）を、送信部３６を介してチューナ１の受信部１６へ送信する。チューナ１の第１制御部１１は受信部１６を介して第１操作データを受け付けた場合、この第１操作データを破棄する。なお上述したように、リモコン３からチューナ１への情報の送信はＢｌｕｅｔｏｏｔｈ規格に基づき、リモコン３の送信部３６とチューナ１の受信部１６との間で実行される例を説明するがこれに限るものではない。例えば図示しない液晶ディスプレイ２のリモコンから赤外線により液晶ディスプレイ２の受信部２６へ情報を送信しても良い。この場合、第２制御部２１は受信した第１操作データまたは第２操作データを、ＣＥＣ線４２を介してチューナ１へ出力する。一方第１制御部１１は第２操作データを受信した場合に限り、再び放送受信部１９を起動し、スタンバイ状態からオン状態へ移行する。放送受信部１９は放送を受信し、再びＨＤＭＩ信号送信部１９２を介して液晶ディスプレイ２へ映像データを出力する。あわせて第１制御部１１は第１ＬＥＤ１２１をオフ、第２ＬＥＤ１２２をオンとし、また第２操作データを液晶ディスプレイ２の第２制御部２１へ、ＣＥＣ線４２を介して出力する。液晶ディスプレイ２の第２制御部２１は画像データの読み出しを停止すると共に、ＨＤＭＩ信号受信部２９２を介して出力された映像データを表示部２４へ表示する。また第２制御部２１はＬＥＤ２２をオンとする。
【００４５】
以上のハードウェア構成において映像データ及び画像データに関する制御手順を、フローチャートを用いて説明する。図６及び図７は画像データの表示処理手順を示すフローチャートである。チューナ１の第１制御部１１は、リモコン３から電源キー３３１の操作に基づくオン信号を受信した場合、放送受信部１９を起動し、デジタル放送を受信する（ステップＳ６１）。第１制御部１１は放送受信部１９の起動をトリガに点灯状態にある第１ＬＥＤ１２１をオンからオフとし、また消灯状態にある第２ＬＥＤ１２２をオフからオンとする（ステップＳ６２）。チューナ１は放送信号を信号処理部１９１にて信号処理し、信号処理後の映像データをＨＤＭＩ信号送信部１９２へ出力する。チューナ１はＨＤＭＩ信号送信部１９２により、ＨＤＭＩ線４１を介して映像データを液晶ディスプレイ２へ出力する（ステップＳ６３）。
【００４６】
液晶ディスプレイ２の第２制御部２１は内部の各ハードウェアを起動し、ＨＤＭＩ信号受信部２９２を介して、映像データを受信する（ステップＳ６４）。第２制御部２１は消灯状態にあるＬＥＤ２２をオフからオンとする（ステップＳ６５）。第２制御部２１はモードファイル２５２からモード１に対応するＬＥＤ強度を読み出す（ステップＳ６６）。本例では最大輝度とすべく１００％としている。第２制御部２１は読み出したＬＥＤ強度を信号処理部２９へ出力する（ステップＳ６７）。信号処理部２９はＬＥＤ強度を含むモード別の各種制御情報に基づきＬＥＤバックライト２１０の光量を制御する。また信号処理部２９は表示部２４へ映像データを表示する（ステップＳ６８）。
【００４７】
以上の処理によりＴＶを視聴しているユーザが、絵画モードへ移行すべく、リモコン３のピクチャーキー３３２を操作した場合の処理を説明する。第１制御部１１はリモコン３からピクチャーキー３３２の操作に基づく第１操作データを、受信部１６を介して受信したか否かを判断する（ステップＳ６９）。第１制御部１１は第１操作データを受信していないと判断した場合（ステップＳ６９でＮＯ）、第１操作データを受信するまで待機する。一方、第１制御部１１は第１操作データを受信したと判断した場合（ステップＳ６９でＹＥＳ）、放送受信部１９を停止し、放送の受信を停止すると共に信号処理部１９１及びＨＤＭＩ信号送信部１９２を停止し、映像データの液晶ディスプレイ２への出力を停止する（ステップＳ７１）。
【００４８】
これにより液晶ディスプレイ２の表示部２４への映像データの表示が停止する。第１制御部１１は第１ＬＥＤ１２１をオフからオンとし、また、第２ＬＥＤ１２２をオンからオフとする（ステップＳ７２）。なお、この場合、第１制御部１１は第１ＬＥＤ１２１及び第２ＬＥＤ１２２を共にオフとしても良い。これにより、チューナ１は放送受信部１９がオフ、その一方で受信部１６による操作データの受信が可能なスタンバイ状態へ移行し、省電力が図られる。チューナ１の第１制御部１１は、ＣＥＣ線４２を介して、第１操作データを液晶ディスプレイ２へ出力する（ステップＳ７３）。
【００４９】
液晶ディスプレイ２の第２制御部２１はＣＥＣ線４２を介して出力された第１操作データを受信する（ステップＳ７４）。第２制御部２１はＵＳＢスロット２１１にＵＳＢメモリ６が装着されているか否かを判断する（ステップＳ７５）。第２制御部２１はＵＳＢメモリ６が装着されていないと判断した場合（ステップＳ７５でＮＯ）、記憶部２５の画像データファイル２５１に記憶された画像データを読み出す（ステップＳ７７）。一方、第２制御部２１はＵＳＢメモリ６が装着されていると判断した場合（ステップＳ７５でＹＥＳ）、ＵＳＢメモリ６の画像データファイル６５から画像データを読み出す（ステップＳ７６）。
【００５０】
第２制御部２１は点灯状態にあるＬＥＤ２２をオフとする（ステップＳ７８）。これにより、絵画鑑賞時におけるまぶしさを低減でき、額内の絵画としてのたたずまいを演出することが可能となる。なお、本実施の形態においてはＬＥＤ２２を消灯させる例を説明したが、ＬＥＤ２２とは異なる色の他のＬＥＤ（図示せず）をさらに液晶ディスプレイ２の筐体前面に設けても良い。例えばＬＥＤ２２を緑色、他のＬＥＤの色を赤色とすれば良い。第２制御部２１はステップＳ７８においてＬＥＤ２２をオフとした場合、他のＬＥＤをオンとする。逆に第２制御部２１はＬＥＤ２２をオンとした場合、他のＬＥＤをオフとする。第２制御部２１は時計部２８から出力される現在の時間を取得する（ステップＳ７９）。第２制御部２１は時間に対応するＬＥＤ強度をモードファイル２５２から読み出す（ステップＳ７１０）。第２制御部２１は読み出したＬＥＤ強度を信号処理部２９へ出力する（ステップＳ７１１）。信号処理部２９は時間に対応するＬＥＤ強度に従い、ＬＥＤバックライトをＰＷＭ制御する。信号処理部２９はステップＳ７６またはステップＳ７７で読み出した画像データを表示部２４へ出力し表示する（ステップＳ７１２）。従って、チューナ１及び液晶ディスプレイ２双方における省電力を図ることが可能となる。
【００５１】
図８及び図９は画像データ表示後に映像データの表示を再開する手順を示すフローチャートである。ステップＳ７３において第１操作データを出力し、ステップＳ７１２により液晶ディスプレイ２に画像データを表示している場合に、スタンバイ状態にある第１制御部１１はリモコン３から受信部１６を介して、第１操作データを受信したか否かを判断する（ステップＳ８１）。第１制御部１１は第１操作データを受信したと判断した場合（ステップＳ８１でＹＥＳ）、当該受信した第１操作データを破棄する（ステップＳ８２）。具体的には、第１制御部１１は第１操作データを受信したとしても、放送受信部１９の起動による放送の受信、映像データの出力、第１ＬＥＤ１２１のオフ、第２ＬＥＤ１２２のオン、液晶ディスプレイ２に対する第２操作データの送信を含む、第１操作データに基づく処理を実行しない制御を行う。その後処理をステップＳ８１に戻す。
【００５２】
第１制御部１１は第１操作データを受信していないと判断した場合（ステップＳ８１でＮＯ）、第２操作データを受信したか否かを判断する（ステップＳ８３）。具体的には、ユーザがリモコン３の終了キー３３３を操作したことに伴いリモコン３から送信された第２操作データを、受信部１６にて受信したか否かを判断する。第１制御部１１は第２操作データを受信していないと判断した場合（ステップＳ８３でＮＯ）、再び処理をステップＳ８１へ戻す。一方第１制御部１１は第２操作データを受信したと判断した場合（ステップＳ８３でＹＥＳ）、放送受信部１９を起動し、デジタル放送の受信を再開する（ステップＳ８４）。すなわちスタンバイ状態からオン状態へと移行する。
【００５３】
第１制御部１１は赤色にて点灯状態にある第１ＬＥＤ１２１をオンからオフとし、消灯状態にある第２ＬＥＤ１２２をオフからオンとする（ステップＳ８５）。第１制御部１１はＣＥＣ線４２を介して、第２操作データを第２制御部２１へ出力する（ステップＳ８６）。チューナ１における放送受信部１９における放送の受信処理及び信号処理部１９１における信号処理には所定時間を要するため、液晶ディスプレイ２においてもこれと並行して画像データの表示、すなわち絵画モードから映像データの表示処理への移行を行う。
【００５４】
液晶ディスプレイ２の第２制御部２１は第２操作データを受信する（ステップＳ８７）。第２制御部２１は記憶部２５の画像データファイル２５１、または、ＵＳＢメモリ６の画像データファイル６５からの画像データの読み出し、並びに、表示部２４への画像データの表示を停止する（ステップＳ８８）。第２制御部２１は消灯状態にあるＬＥＤ２２をオフからオンとする（ステップＳ８９）。チューナ１のＨＤＭＩ信号送信部１９２は信号処理後の映像データを、ＨＤＭＩ線４１を介して液晶ディスプレイ２のＨＤＭＩ信号受信部２９２へ出力する（ステップＳ９１）。
【００５５】
液晶ディスプレイ２のＨＤＭＩ信号受信部２９２は出力された映像データを受信する（ステップＳ９２）。第２制御部２１はモードファイル２５２に記憶したＬＥＤ強度を読み出す（ステップＳ９３）。第２制御部２１は読み出したＬＥＤ強度を信号処理部２９へ出力する。本例では、モード１が再び選択され発光強度１００％にてＬＥＤバックライト２１０が制御される。信号処理部２９は表示部２４に映像データを表示し（ステップＳ９４）、また出力されたＬＥＤ強度に従いＬＥＤバックライト２１０をＰＷＭ制御する。
【００５６】
実施の形態２
実施の形態２は視聴予約が設定されている場合の処理に関する。図１０は実施の形態２に係るチューナ１のハードウェア構成を示すブロック図である。実施の形態１の構成に加えて記憶部１５には、予約記憶部たる視聴予約ファイル１５１が設けられている。視聴予約ファイル１５１はユーザが視聴を希望する日時及びチャンネルを記憶している。ユーザは入力部１３またはリモコン３により、例えばＥＰＧ（Electronic Program Guide）等を利用することにより日時及びチャンネルを入力する。第１制御部１１は入力された日時及びチャンネルを受け付け、受け付けた日時及びチャンネルを視聴予約ファイル１５１に記憶する。
【００５７】
図１１及び図１２は、画像データを表示している場合に、視聴予約時間に達した際の処理手順を示すフローチャートである。第１制御部１１は入力部１３または受信部１６を介して入力された視聴予約の日時及びチャンネルを受け付ける（ステップＳ１１１）。第１制御部１１は受け付けた日時及びチャンネルを視聴予約ファイル１５１に記憶する（ステップＳ１１２）。その後、実施の形態１で述べた如く、ピクチャーキー３３２が操作され、液晶ディスプレイ２にて画像データが表示されたものとする。実施の形態１のステップＳ７１２の処理後以下の処理を行う。
【００５８】
第１制御部１１は、第１操作データをリモコン３から受信（または第１操作データを液晶ディスプレイ２へ送信）し、放送受信部１９を停止し、映像データの出力を停止し、かつ、視聴予定の日時に達したか否かを判断する（ステップＳ１１３）。視聴予定日時に達したか否かは、第１制御部１１は時計部１８から出力される日時と、視聴予約ファイル１５１に記憶された日時とが一致するか否かを判断することにより行う。第１制御部１１はステップＳ１１３の条件を満たさないと判断した場合（ステップＳ１１３でＮＯ）、条件を満たすまで待機する。一方第１制御部１１はステップＳ１１３の条件を満たすと判断した場合（ステップＳ１１３でＹＥＳ）、放送受信部１９を起動し、デジタル放送を受信する（ステップＳ１１４）。
【００５９】
視聴予約時間に達した場合チューナ１はスタンバイ状態からオン状態へ移行する。第１制御部１１は赤色にて点灯状態にある第１ＬＥＤ１２１をオンからオフとし、消灯状態にある第２ＬＥＤ１２２をオフからオンとする（ステップＳ１１５）。第１制御部１１はＣＥＣ線４２を介して、視聴予約に基づく視聴再開を示す再開データを第２制御部２１へ出力する（ステップＳ１１６）。チューナ１における放送受信部１９における放送の受信処理及び信号処理部１９１における信号処理には所定時間を要するため、液晶ディスプレイ２においてもこれと並行して画像データの表示、すなわち絵画モードから映像データの表示処理への移行を行う。
【００６０】
液晶ディスプレイ２の第２制御部２１は再開データを受信する（ステップＳ１１７）。第２制御部２１は記憶部２５の画像データファイル２５１、または、ＵＳＢメモリ６の画像データファイル６５からの画像データの読み出し、並びに、表示部２４への画像データの表示を中止する（ステップＳ１１８）。第２制御部２１は額内の絵画から、テレビへの自然な移行を図るべく、記憶部１５に予め記憶した音楽データを記憶部１５から読み出す（ステップＳ１１９）。この音楽データは画像データのイメージに合うものを予め記憶部１５に記憶しておけばよい。第２制御部２１は読み出した音楽データを、予め記憶した音量にてスピーカから出力する（ステップＳ１２１）。これにより絵画モードによる落ち着いた雰囲気を壊すことなく自然に映像データの再開が可能となる。
【００６１】
第２制御部２１は消灯状態にあるＬＥＤ２２をオフからオンとする（ステップＳ１２２）。チューナ１のＨＤＭＩ信号送信部１９２は信号処理後の映像データを、ＨＤＭＩ線４１を介して液晶ディスプレイ２のＨＤＭＩ信号受信部２９２へ出力する（ステップＳ１２３）。
【００６２】
液晶ディスプレイ２のＨＤＭＩ信号受信部２９２は出力された映像データを受信する（ステップＳ１２４）。第２制御部２１は映像データの受信後、音楽データの出力を停止する（ステップＳ１２５）。第２制御部２１はモードファイル２５２に記憶したＬＥＤ強度を読み出す（ステップＳ１２６）。第２制御部２１は読み出したＬＥＤ強度を信号処理部２９へ出力する。信号処理部２９は表示部２４に映像データを表示し（ステップＳ１２７）、また出力されたＬＥＤ強度に従いＬＥＤバックライト２１０をＰＷＭ制御する。これにより、画像データが表示されている場合でも、視聴予約がなされていることを条件に映像データの表示が再開される。
【００６３】
本実施の形態２は以上の如き構成としてあり、その他の構成及び作用は実施の形態１と同様であるので、対応する部分には同一の参照番号を付してその詳細な説明を省略する。
【００６４】
実施の形態３
実施の形態３は画像データを表示する際は、他の機器もオフ状態またはスタンバイ状態とする形態に関する。図１３は実施の形態３に係る表示システムの概要を示す模式図である。表示システムはさらに録画装置７、オーディオアンプ８及び発光装置９を含んで構成される。録画装置７は例えば、ハードディスクまたはブルーレイ等の可搬型記録媒体に映像データを記憶し、また、これらに記憶した映像データを再生のため読み出す装置である。以下では、録画装置７をレコーダ７と読み替えて説明する。オーディオアンプ８はチューナ１から出力される音声を信号処理し、例えば５．１ｃｈのスピーカシステムから音声を出力する。
【００６５】
レコーダ７及びオーディオアンプ８は共にＨＤＭＩケーブル４によりチューナ１に接続されており、映像データ、音声データまたは各種制御信号の送受信が可能である。発光装置９は液晶ディスプレイ２近傍に設けられる蛍光灯、白熱灯、またはＬＥＤランプ等である。以下では、発光装置９がＬＥＤランプ９であるものとして説明する。ＬＥＤランプ９は液晶ディスプレイ２を照射すべく同室内に設置されている。ＬＥＤランプ９は内部に受信部９６を有し、ピクチャーキー３３２の操作に基づく第１操作データ及び終了キー３３３の操作に基づく第２操作データを例えばＢｌｕｅｔｏｏｔｈ規格により受信する。
【００６６】
液晶ディスプレイ２が映像データを表示している際に、ピクチャーキー３３２が操作された場合、実施の形態１で述べた如く画像データが表示される。この場合チューナ１はＣＥＣ線４２を介して、オン状態にある機器をスタンバイ状態へ移行させるための切り替え信号を、レコーダ７及びオーディオアンプ８へ出力する。なお切り替え信号を以下では第１操作データという。オン状態にあるレコーダ７は第１操作データを受けてスタンバイ状態へ移行する。なお、レコーダ７のスタンバイ状態への移行処理は後述する。またオーディオアンプ８はスタンバイ状態へ移行する。これによりさらなる省電力を図ることが可能となる。
【００６７】
その後、チューナ１が第２操作データを受信した場合、チューナ１は、スタンバイ状態にあるレコーダ７及びオーディオアンプ８をオン状態とするための再起動信号をレコーダ７及びオーディオアンプ８へ出力する。なお、以下では再起動信号を第２操作データという。レコーダ７及びオーディオアンプ８は再びオン状態となる。またＬＥＤランプ９は点灯時にピクチャーキー３３２から出力される第１操作データを、受信部９６にて受信した場合、メモリ９５内部のモードファイル９５１に記憶したＬＥＤ強度に従い発光強度を低下させる。このモードファイル９５１は、モードに対応づけて、ＬＥＤランプ９の発光強度及び時間帯が記憶されている。例えば、モード１に対して１００％の発光強度、モード２に対して２０％の発光強度、時間帯は午前９時から午後５時、並びに、モード３に対して５％の発光強度、時間帯は午後５時１分から午前８時５９分等と記憶されている。
【００６８】
制御部９１は、時計部９８を参照し、このモードファイル９５１に記憶したＬＥＤ強度に従いＬＥＤランプ９の発光強度を制御する。これにより、絵画モードに移行した場合は、美術館の如く自然な光量にて画像データを鑑賞することが可能となる。制御部９１は、受信部９６を介して第２操作データを受信した場合、モードファイル９５１を参照し再び最大強度でＬＥＤランプ９を点灯する。なお、本実施の形態においては説明を容易にするためにＬＥＤランプ９を一つとしたが複数設けても良い。
【００６９】
図１４はレコーダ７のハードウェア構成を示すブロック図である。レコーダ７は第３制御部７１、時計部７８、ハードディスク７６Ｈ、ハードディスク駆動制御部７６２、第１ＬＥＤ７２１、第２ＬＥＤ７２２、入力部７３、受信部７６、表示部７４、記憶部７５、制御プログラム７５Ｐ、ディスクドライブ７１０、ディスク制御部７１１、信号受信部７９２、ＨＤＭＩ信号送信部７９３及び信号処理部７９等を含んで構成される。レコーダ７の第３制御部７１は、バス７７を介してハードウェア各部と接続されていて、それらを制御すると共に、メインメモリ等の記憶部７５に格納された制御プログラム７５Ｐに従って、本実施形態に係る種々のソフトウェア的機能を実行する。入力部７３はレコーダ７の筐体前面に設けられた操作ボタン等であり、入力された操作データを第３制御部７１へ出力する。
【００７０】
第１ＬＥＤ７２１は例えばスタンバイ状態にあることを示す赤色に発光するＬＥＤであり、第３制御部７１の指示に従いオンまたはオフする。第２ＬＥＤ７２２は例えばオン状態であることを示す青色に発光するＬＥＤであり、第３制御部７１の指示に従いオンまたはオフする。第１ＬＥＤ７２１及び第２ＬＥＤ７２２はレコーダ７の筐体前面に設けられ、レコーダ７がオフ状態の場合、第１ＬＥＤ７２１及び第２ＬＥＤ７２２は共にオフ状態となる。
【００７１】
受信部７６はリモコン３からの操作データを受信するＢｌｕｅｔｏｏｔｈ規格に基づくトランシーバである。なお、本実施の形態においては、第１操作データ及び第２操作データを、ＣＥＣ線４２を介して、チューナ１から受信する例を説明するがこれに限るものではない。ＬＥＤランプ９と同じく、リモコン３の送信部３６から送信される第１操作データ及び第２操作データを受信部７６にて直接受信しても良い。時計部７８は日時の情報を第３制御部７１へ出力する。表示部７４は筐体前面に設けられ、現在時刻及び再生時間等の各種情報を表示する。
【００７２】
ハードディスク７６Ｈ内部には映像データを記憶する映像ファイル７６１が設けられている。ハードディスク駆動制御部７６２はハードディスク７６Ｈを駆動するモータ、ヘッド及びアーム等を制御し、ハードディスク７６Ｈに対する映像データの読み出し及び書き込みを制御する。レコーダ７はＤＶＤ（Digital Versatile Disc）またはブルーレイ規格に基づくブルーレイディスク等の可搬型記録媒体７１２に対し映像データを記憶及び再生する。以下では可搬型記録媒体７１２をブルーレイディスク７１２であるものとして説明する。ディスクドライブ７１０は、ディスク制御部７１１の指示に従い、ブルーレイディスク７１２に対する映像データの書き込み及び読み取りを行う。ディスク制御部７１１はディスクドライブ７１０内のモータ制御、光ピックアップのキャリブレーション等を行う。
【００７３】
チューナ１から送信される映像データは例えばiLink（登録商標）規格に基づき信号受信部７９２にて受信される。受信した映像データは信号処理部７９による画像処理が行われる。第３制御部７１は受信した映像データをハードディスク７６Ｈ内の映像ファイル７６１またはブルーレイディスク７１２に記憶する。ハードディスク７６Ｈ内の映像ファイル７６１またはブルーレイディスク７１２に記憶された映像データは第３制御部７１の指示のもと読み出され信号処理部７９及びＨＤＭＩ信号送信部７９３を経て、ＨＤＭＩ線４１を介して液晶ディスプレイ２へ出力される。
【００７４】
レコーダ７はオン状態の場合、ハードディスク７６Ｈ、ハードディスク駆動制御部７６２、ディスクドライブ７１０、及びディスク制御部７１１を含む全てのハードウェアを起動している。そして第３制御部７１は第１ＬＥＤ７２１をオフ、第２ＬＥＤ７２２をオンとしている。ここで、ＣＥＣ線４２を介して、チューナ１から第１操作データを受信した場合、スタンバイ状態へ移行すべく、ハードディスク７６Ｈ、ハードディスク駆動制御部７６２、ディスクドライブ７１０、ディスク制御部７１１、及び表示部７４の起動を停止する。さらに第３制御部７１は、第１ＬＥＤ７２１をオン、第２ＬＥＤ７２２をオフとする。なお、スタンバイ状態へ移行した場合も、受信部７６による操作信号の受信は可能であり、また第３制御部７１はＣＥＣ線４２を介して、各種情報の送受信を行うことが可能である。
【００７５】
以上のハードウェア構成に基づき、点灯処理及びレコーダ７に対する処理を、フローチャートを用いて説明する。図１５及び図１６は点灯処理手順を示すフローチャートである。ＬＥＤランプ９の制御部９１は図示しないスイッチから点灯指示があったか否かを判断する（ステップＳ１５１）。制御部９１は点灯指示を受け付けていないと判断した場合（ステップＳ１５１でＮＯ）、点灯指示があるまで待機する。一方制御部９１は点灯指示を受け付けた場合（ステップＳ１５１でＹＥＳ）、モードファイル９５１を参照し、最大強度でＬＥＤランプ９を発光させる（ステップＳ１５２）。
【００７６】
制御部９１は受信部９６を介して第１操作データを受信したか否かを判断する（ステップＳ１５３）。制御部９１は第１操作データを受信していないと判断した場合（ステップＳ１５３でＮＯ）、処理をステップＳ１５３へ戻す。制御部９１は受信部９６を介してリモコン３から第１操作データを受信したと判断した場合（ステップＳ１５３でＹＥＳ）、時計部９８から時間を取得する（ステップＳ１５４）。制御部９１はモードファイル９５１から取得した時間に対応するＬＥＤ強度を読み出す（ステップＳ１５５）。
【００７７】
制御部９１は読み出したＬＥＤ強度にてＬＥＤランプ９を制御する（ステップＳ１５６）。これにより、時間に応じて最適な照度設定ができ、絵画に基づく画像データを表示する際により自然なたたずまいを演出することが可能となる。制御部９１は受信部９６を介して、終了キー３３３の操作に基づく第２操作データを受信したか否かを判断する（ステップＳ１５７）。制御部９１は第２操作データを受信していないと判断した場合（ステップＳ１５７でＮＯ）、時計部９８の出力を参照し一定時間を経過したか否かを判断する（ステップＳ１５８）。ステップＳ１５６における第１操作データに基づくＬＥＤランプ９の制御処理の計時されるこの時間は、例えば３時間等としてメモリ９５に記憶しておけばよい。
【００７８】
制御部９１は一定時間を経過していないと判断した場合（ステップＳ１５８でＮＯ）、処理をステップＳ１５６へ戻す。一方、制御部９１は一定時間を経過したと判断した場合（ステップＳ１５８でＹＥＳ）、ＬＥＤ強度をさらに低下させる制御を行う（ステップＳ１５９）。具体的には制御部９１はメモリ内に係数（例えば０．８）を記憶しておき、ステップＳ１５５で読み出したＬＥＤ強度に乗ずる。これにより、時間の経過に伴い次第にＬＥＤランプ９の照度が低下し、さらなる省電力を図ることが可能となる。
【００７９】
ステップＳ１５９の処理後、処理を再びステップＳ１５７へ戻す。ステップＳ１５７において、制御部９１は受信部９６を介して、第２操作データを受信したと判断した場合（ステップＳ１５７でＹＥＳ）、モードファイル９５１から最大強度に係るＬＥＤ強度を読み出す（ステップＳ１６１）。制御部９１は読み出したＬＥＤ強度にてＬＥＤランプ９を制御する（ステップＳ１６２）。これにより、ユーザは特段意図することなくテレビ視聴時は明るい環境下で視聴が可能となる。
【００８０】
図１７及び図１８はレコーダ７に対する処理手順を示すフローチャートである。レコーダ７の第３制御部７１は入力部７３または受信部７６を介してオン信号が入力された場合、ハードディスク７６Ｈ及びハードディスク駆動制御部７６２を起動する（ステップＳ１７１）。なお、本実施の形態においては説明を容易にするためにハードディスク７６Ｈのみを起動させる例を説明する。第３制御部７１は赤色等の第１ＬＥＤ７２１をオフ、青色等の第２ＬＥＤ７２２をオンとする（ステップＳ１７２）。第３制御部７１は時計部７８から出力される時間を表示部７４に表示すると共に、ハードディスクの残り記憶可能時間及び再生開始からの経過時間等を含む時間に関する情報を表示する（ステップＳ１７３）。
【００８１】
チューナ１は実施の形態１で述べた如くリモコン３から第１操作データを受信する（ステップＳ１７４）。チューナ１は第１操作データをレコーダ７へ出力する（ステップＳ１７５）。レコーダ７の第３制御部７１はＣＥＣ線４２を介して出力される第１操作データを受信する（ステップＳ１７６）。なお、チューナ１がレコーダ７または液晶ディスプレイ２へ情報を送信する前には、相互に機器が接続されているか否か、機器の状態の確認等が事前に行われる。第３制御部７１はオン状態からスタンバイ状態へ移行すべく、ハードディスク７６Ｈ及びハードディスク駆動制御部７６２を停止する（ステップＳ１７７）。また、第３制御部７１は表示部７４に表示していた時間の表示を停止する（ステップＳ１７８）。
【００８２】
第３制御部７１は第１ＬＥＤ７２１をオン、第２ＬＥＤ７２２をオフとする（ステップＳ１７９）。なお、さらなる省電力を図るべく、第１ＬＥＤ７２１をもオフとしても良い。第３制御部７１は依然として入力部７３から入力される操作信号、受信部７６で受信する操作信号及びＣＥＣ線４２を介して出力されるＣＥＣコマンドの受け付けはスタンバイ状態においても可能である。これにより、チューナ１、液晶ディスプレイ２のみならず、オーディオアンプ８、ＬＥＤランプ９及びレコーダ７を含めた総合的な省電力が可能となるほか、各種の光源制御により画像データの効果的な演出が可能となる。
【００８３】
チューナ１は実施の形態１で述べた如く第２操作データをリモコン３から受信する（ステップＳ１８１）。チューナ１は受信した第２操作データを、ＣＥＣ線４２を介してレコーダ７へ出力する（ステップＳ１８２）。レコーダ７は第２操作データを受信する（ステップＳ１８３）。第３制御部７１はハードディスク７６Ｈ及びハードディスク駆動制御部７６２を再び起動する（ステップＳ１８４）。第３制御部７１は第１ＬＥＤ７２１をオフ、第２ＬＥＤ７２２をオンとする（ステップＳ１８５）。第３制御部７１は時計部７８から出力される時間を表示部７４に表示すると共に、ハードディスクの残り記憶可能時間及び再生開始からの経過時間等を含む時間に関する情報を表示する（ステップＳ１８６）。
【００８４】
本実施の形態３は以上の如き構成としてあり、その他の構成及び作用は実施の形態１及び２と同様であるので、対応する部分には同一の参照番号を付してその詳細な説明を省略する。
【００８５】
実施の形態４
実施の形態４は画像データを表示している際に録画予約の時間に達した場合の処理に関する。図１９は実施の形態４に係るレコーダ７のハードウェア構成を示すブロック図である。実施の形態３の構成に加えて記憶部７５には番組を録画する日時及びチャンネルを記憶する録画予約ファイル７５１が設けられている。以下では、実施の形態１で述べた画像データが液晶ディスプレイ２に表示されている際に、予約に基づく映像データの記憶処理を、フローチャートを用いて説明する。
【００８６】
図２０は録画予約処理の手順を示すフローチャートである。ユーザは視聴予約と同じくＥＰＧ等により、録画を希望する日時（開始日時及び終了日時を含む）及びチャンネルをチューナ１またはレコーダ７に対して行う。本実施の形態においてはレコーダ７において録画予約を受け付けるものとして説明する。第３制御部７１は、入力部７３または受信部７６を介して入力された録画日時及びチャンネルを受け付ける（ステップＳ２０１）。第３制御部７１は録画日時及びチャンネルを録画予約ファイル７５１に記憶する（ステップＳ２０２）。なお、本実施の形態においては録画予約に係る映像データの記憶先はハードディスク７６Ｈ内の映像ファイル７６１であるものとして説明する。
【００８７】
チューナ１は実施の形態１のステップＳ７３及び実施の形態３のステップＳ１７５で述べた如く第１操作データを液晶ディスプレイ２へ出力し、またスタンバイ信号をレコーダ７へ出力する（ステップＳ２０３）。これにより、液晶ディスプレイ２の表示部２４には画像データが表示される。またレコーダ７は、スタンバイ状態へ移行する。レコーダ７の第３制御部７１はこの状況下において、時計部７８の出力を参照し、録画日時に達したか否かを判断する（ステップＳ２０４）。第３制御部７１は録画日時に達していないと判断した場合（ステップＳ２０４でＮＯ）、録画日時に達するまで待機する。
【００８８】
一方、第３制御部７１は録画日時に達したと判断した場合（ステップＳ２０４でＹＥＳ）、ハードディスク７６Ｈ及びハードディスク駆動制御部７６２を起動する（ステップＳ２０５）。レコーダ７は信号受信部７９２を介してチューナ１から送信される映像データを受信する（ステップＳ２０６）。第３制御部７１は映像データを映像ファイル７６１に記憶する（ステップＳ２０７）。これによりレコーダ７はオン状態へ移行するが、液晶ディスプレイ２には依然として絵画として機能する画像データが表示されている。
【００８９】
そのため、第３制御部７１は表示部７４を引き続きオフとし（ステップＳ２０８）、残り時間等を表示しない。また、第３制御部７１は引き続き第１ＬＥＤ７２１をオン、第２ＬＥＤ７２２をオフとする（ステップＳ２０９）。なお、第１ＬＥＤ７２１及び第２ＬＥＤ７２２を共にオフとしても良い。これにより、予約録画に基づく予約が開始された場合でも、画像データが液晶ディスプレイ２に表示されている場合は、不要な光源を非発光とすることで、省電力ひいては美観を向上させることが可能となる。
【００９０】
本実施の形態４は以上の如き構成としてあり、その他の構成及び作用は実施の形態１乃至３と同様であるので、対応する部分には同一の参照番号を付してその詳細な説明を省略する。
【００９１】
実施の形態５
実施の形態５は表示すべき画像データの選択処理に関する。図２１は実施の形態５に係る液晶ディスプレイ２のハードウェア構成を示すブロック図である。記憶部２５にはさらに選択画面ファイル２５３が設けられている。チューナ１の受信部１６はリモコン３から画像データを選択するための表示要求に係る操作データ（以下、第３操作データという）を受け付ける。この第３操作データは、例えばリモコン３に設けられるメニューボタンのユーザの操作により、チューナ１へ送信される。チューナ１の第１制御部１１は第３操作データを、ＣＥＣ線４２を介して液晶ディスプレイ２へ出力する。
【００９２】
液晶ディスプレイ２の第２制御部２１は第３操作データを受信する。第２制御部２１は第３操作データの受信をトリガに選択画面ファイル２５３から選択画面を読み出し、表示部２４へ表示する。図２２は選択画面の表示イメージを示す説明図である。表示部２４には、画像データファイル２５１に記憶された複数の候補となる画像データのサムネイル２４１〜２４６（以下、場合によりサムネイルＳで代表する）、チェックボックス２４１ｃ〜２４６ｃ（以下、場合によりチェックボックスｃで代表する）、及び、終了ボタン２４７等が表示される。図２２にはさらにリモコン３の操作ボタン群の一部を示している。リモコン３は操作方向ボタン３３０として、上方向ボタン３３４、右方向ボタン３３５、下方向ボタン３３６、及び、左方向ボタン３３７、並びに、決定ボタン３３８、及び、メニューボタン３３９が設けられている。
【００９３】
ユーザはリモコン３の操作方向ボタン３３０に基づき、選択を希望する画像データを特定するためのカーソル２４８を操作する。そして、表示を希望する画像データとカーソル２４８とを一致させ、決定ボタン３３８を操作する。図２３は画像データファイル２５１のレコードレイアウトを示す説明図である。画像データファイル２５１は画像ＩＤフィールド、画像ファイル名フィールド、画像データフィールド、サムネイルデータフィールド、表示位置フィールド及び表示フラグフィールド等を含む。画像ＩＤフィールドには複数の画像データを特定するための固有のＩＤが記憶されている。本例では候補となる画像データが６つであるものとして説明する。なお、画像データファイル２５１の記憶内容はあくまで一例であり、データ間の関係が維持されていれば、設計に応じて自由なデータの持たせ方をすれば良い。
【００９４】
画像ファイル名フィールドには画像ＩＤに対応づけて画像データのファイル名が記憶されている。画像データフィールドには画像ＩＤに対応づけてＪＰＥＧ形式の画像データが記憶され、同様にサムネイルデータフィールドには各画像データの縮小画像たるサムネイルデータが記憶されている。表示位置フィールドには各画像データのサムネイルＳを選択画面上に表示する際の位置情報である座標値が記憶されている。図２２の例では、表示部２４の左上をｘｙ座標原点（０，０）とし、右方向をｘ軸正方向とし、下方向をｙ軸正方向としている。
【００９５】
表示部２４には、画像データファイル２５１に記憶された座標値に従って、各画像データが表示される。例えばサムネイル２４２は座標値（１，０）の位置に表示される。なお、本実施の形態においては格子状にサムネイルＳを表示する例を説明したが、縦一列または横一列にサムネイルを表示しても良い。選択画面を表示した際は、原点座標（０，０）のサムネイル２４１がカーソル２４８により選択（特定）されている。ユーザはリモコン３の操作方向ボタン３３０を操作することにより、カーソル２４８を移動させる。チューナ１の受信部１６はリモコン３から送信される操作方向に関する第１命令、すなわち、上方向ボタン３３４の操作に基づく上命令、右方向ボタン３３５の操作に基づく右命令、下方向ボタン３３６の操作に基づく下命令、及び左方向ボタン３３７の操作に基づく左命令を受け付ける。チューナ１の第１制御部１１はこの受け付けた第１命令を順次受付順に第２制御部２１へ出力する。
【００９６】
第２制御部２１は第１命令に従い、原点（０，０）からカーソル２４８を移動させ、表示を希望する画像データをカーソル２４８にて特定する。リモコン３から決定ボタン３３８が操作された場合、選択処理に関する第２命令がチューナ１の受信部１６へ送信される。チューナ１の第１制御部１１はＣＥＣ線４２を介して、受信した第２命令を第２制御部２１へ出力する。第２制御部２１は第２命令を受信した場合、カーソル２４８に対応するサムネイルＳのチェックボックスｃにチェックマークを記述すると共に、画像データファイル２５１の表示フラグフィールドにフラグを設定する。図２２の例ではサムネイル２４２のチェックボックス２４２ｃ及びサムネイル２４３のチェックボックス２４３ｃがそれぞれ選択されている。
【００９７】
なお、チェックボックスｃにチェックが記述されている場合に、さらに第２命令を受信した場合、第２制御部２１はチェックの記述を消去すると共に、表示フラグフィールドの表示フラグを削除する。第１命令に基づき座標値（０，２）の終了ボタン２４７にカーソル２４８が移動し、かつ、第２命令に基づき終了ボタン２４７が選択された場合、第２制御部２１は選択画面をクローズする。第２制御部２１は第１操作データを受け付けた場合、画像データファイル２５１に記憶され、かつ、表示フラグが設定された画像データを読み出し、表示部２４に出力する。なお複数の画像データが存在する場合は、一定時間毎に順次表示するようにすればよい。
【００９８】
以上のハードウェア構成において、画像データ選択処理を、フローチャートを用いて説明する。図２４乃至図２７は画像データ選択処理の手順を示すフローチャートである。リモコン３の制御部３１はメニューボタン３３９の操作に基づく、選択画面の表示要求を受け付ける（ステップＳ２４１）。制御部３１は送信部３６を介して、選択画面の表示要求である第３操作データをチューナ１へ送信する（ステップＳ２４２）。チューナ１の受信部１６は第３操作データを受信する（ステップＳ２４３）。チューナ１の第１制御部１１は第３操作データを、ＣＥＣ線４２を介して液晶ディスプレイ２へ出力する（ステップＳ２４４）。
【００９９】
液晶ディスプレイ２の第２制御部２１は第３操作データを受信する（ステップＳ２４５）。第２制御部２１は選択画面ファイル２５３から選択画面を読み出す（ステップＳ２４６）。第２制御部２１は画像データファイル２５１に記憶されたサムネイルＳ及び表示位置を参照し、図２２の如く選択画面を表示する（ステップＳ２４７）。第２制御部２１は選択画面の原点座標のチェックボックス２４１ｃにカーソル２４８を表示する（ステップＳ２４８）。チューナ１は単に第１命令及び第２命令を中継するに過ぎず、カーソルがどの座標を選択しているか認識することができないため、初期位置は原点座標としたものである。
【０１００】
リモコン３の制御部３１は操作方向ボタン３３０の操作を受け付ける（ステップＳ２４９）。制御部３１は操作方向ボタン３３０の入力を受け付ける度に、上、下、右または左方向を示す操作方向に関する第１命令を、送信部３６を介してチューナ１へ送信する（ステップＳ２５１）。チューナ１は第１命令を、受信部１６を介して受信する（ステップＳ２５２）。チューナ１の第１制御部１１は第１命令を順次、ＣＥＣ線４２を介して液晶ディスプレイ２へ出力する（ステップＳ２５３）。液晶ディスプレイ２の第２制御部２１は順次出力される第１命令を受信し（ステップＳ２５４）、第１命令に従いカーソル２４８を移動させる（ステップＳ２５５）。このカーソル２４８により、表示を希望する画像データが選択される。
【０１０１】
第２制御部２１はカーソル２４８の移動先の座標値、すなわち選択されているサムネイルＳの座標値を記憶部２５に記憶する（ステップＳ２５６）。リモコン３の制御部３１は決定ボタン３３８の入力を受け付ける（ステップＳ２５７）。制御部３１はサムネイルＳの選択処理を示す第２命令を、送信部３６を介してチューナ１へ送信する（ステップＳ２５８）。チューナ１は第２命令を、受信部１６を介して受信する（ステップＳ２５９）。第１制御部１１はＣＥＣ線４２を介して、受信した第２命令を液晶ディスプレイ２へ出力する（ステップＳ２６１）。
【０１０２】
液晶ディスプレイ２の第２制御部２１は第２命令を受信する（ステップＳ２６２）。第２制御部２１は、第１命令及び第２命令により、図２２に示す終了ボタン２４７が選択されたか否かを判断する（ステップＳ２６３）。第２制御部２１は終了ボタン２４７が選択されていないと判断した場合（ステップＳ２６３でＮＯ）、ステップＳ２５６で記憶した座標値に対応づけて、すなわち選択されたサムネイルＳに対応づけて表示フラグを画像データファイル２５１に設定する（ステップＳ２６４）。この場合第２制御部２１は選択画面のチェックボックスｃにチェックマークを記述する。再びステップＳ２４９へ移行し以上の処理を繰り返す。
【０１０３】
第２制御部２１は終了ボタン２４７が選択されたと判断した場合（ステップＳ２６３でＹＥＳ）、選択画面をクローズする（ステップＳ２６５）。その後実施の形態１で述べた如くリモコン３はピクチャーキー３３２の操作に伴う第１操作データを受け付ける（ステップＳ２６６）。リモコン３の制御部３１は受け付けた第１操作データをチューナ１へ送信する（ステップＳ２６７）。チューナ１の第１制御部１１は第１操作データを受信する（ステップＳ２６８）。チューナ１の第１制御部１１は第１操作データを液晶ディスプレイ２へ、ＣＥＣ線４２を介して出力する（ステップＳ２６９）。
【０１０４】
液晶ディスプレイ２の第２制御部２１は第１操作データを受信する（ステップＳ２７１）。液晶ディスプレイ２の第２制御部２１は画像データファイル２５１から、表示フラグが設定された画像データを読み出す（ステップＳ２７２）。第２制御部２１は表示部２４に読み出した画像データを表示する（ステップＳ２７３）。実施の形態１で述べた如く、第１操作データの出力後、チューナ１はスタンバイ状態へ移行し、画像データの表示処理は液晶ディスプレイ２単独で行われる。本実施の形態の如く、画像データの選択、及び、表示処理を液晶ディスプレイ２にて行い、チューナ１での処理を第１命令及び第２命令の受信及び出力に限り、スタンバイ状態へ移行させることで、画像データ表示時の省電力を図ることが可能となる。なお、本実施の形態においては第１命令及び第２命令を操作の度に液晶ディスプレイ２へ出力したが、表示すべき画像データを特定するための情報をステップＳ２６５の後にチューナ１から液晶ディスプレイ２へまとめて送信しても良い。例えば、画像データにＩＤを付しておき、ユーザはリモコン３により、表示を希望する画像データのＩＤを入力する。チューナ１の第１制御部１１は表示すべき画像データを特定するための情報として、一又は複数のＩＤを受け付ける。そして液晶ディスプレイ２の選択画面をクローズした後に、チューナ１の第１制御部１１は受け付けたＩＤを、ＣＥＣ線４２を介して液晶ディスプレイ２へ出力する。液晶ディスプレイ２の第２制御部２１は受信したＩＤに対応する画像データに表示フラグを設定する。これにより、チューナ１と液晶ディスプレイ２との間の通信量を低減することが可能となる。
【０１０５】
本実施の形態５は以上の如き構成としてあり、その他の構成及び作用は実施の形態１乃至４と同様であるので、対応する部分には同一の参照番号を付してその詳細な説明を省略する。
【０１０６】
実施の形態６
実施の形態６は表示すべき画像データが存在しない場合に警告画像を表示する形態に関する。図２８は実施の形態６に係る液晶ディスプレイ２のハードウェア構成を示すブロック図である。実施の形態５の構成に加えて記憶部２５には警告画像ファイル２５４が記憶されている。警告画像ファイル２５４は表示すべき画像データが存在しない場合、すなわち、画像データファイル２５１の表示フラグが全く記憶されていない場合に、表示部２４に表示される警告画像が、例えばＪＰＥＧ形式で記憶されている。
【０１０７】
図２９は表示部２４に表示される警告画像の表示イメージを示す説明図である。図２９に示す如く、画像データが存在しない旨を視認することができる警告画像が表示される。その他、ＵＳＢメモリ６内の画像データファイル６５に予め定められたフォーマット、例えばＪＰＥＧ形式による画像データが記憶されていない場合も警告画像が表示される。なお、本実施の形態においては説明を容易にするために、画像データを収納するフォルダである画像データファイル６５を設ける例を説明したが、係るフォルダを設けることなく、直接画像データをＵＳＢメモリ６内に記憶しても良い。
【０１０８】
図３０及び図３１は警告画像の表示処理手順を示すフローチャートである。実施の形態１で述べた如く、液晶ディスプレイ２は映像データを表示している状況で、ユーザがリモコン３のピクチャーキー３３２を操作した場合、以下の処理を実行する。チューナ１の第１制御部１１は第１操作データを、ＣＥＣ線４２を介して液晶ディスプレイ２へ出力する（ステップＳ３０１）。液晶ディスプレイ２の第２制御部２１は第１操作データを、ＣＥＣ線４２を介して受信する（ステップＳ３０２）。なお、ステップＳ３０１及びＳ３０２における処理は、実施の形態１で述べたステップＳ７３及びＳ７４と同様であるので、詳細な説明は省略する。
【０１０９】
第２制御部２１はＵＳＢスロット２１１にＵＳＢメモリ６が装着されているか否かを判断する（ステップＳ３０３）。第２制御部２１はＵＳＢメモリ６が装着されていると判断した場合（ステップＳ３０３でＹＥＳ）、ＵＳＢメモリ６の画像データファイル６５に画像データが存在するか否かを判断する（ステップＳ３０４）。第２制御部２１は画像データが存在すると判断した場合（ステップＳ３０４でＹＥＳ）、ＵＳＢメモリ６の画像データファイル６５内の画像データを読み出す（ステップＳ３０５）。第２制御部２１は読み出した画像データを表示部２４に表示する（ステップＳ３０６）。
【０１１０】
第２制御部２１はＵＳＢメモリ６が装着されていないと判断した場合（ステップＳ３０３でＮＯ）、または、ＵＳＢメモリ６の画像データファイル６５内に画像データが存在しないと判断した場合（ステップＳ３０４でＮＯ）、記憶部２５の画像データファイル２５１に表示フラグが設定されているか否かを判断する（ステップＳ３０７）。第２制御部２１は表示フラグが設定されていると判断した場合（ステップＳ３０７でＹＥＳ）、表示フラグが設定されている画像データを読み出す（ステップＳ３０８）。第２制御部２１は読み出した画像データを表示部２４に表示する（ステップＳ３０９）。
【０１１１】
一方、第２制御部２１は表示フラグが全く設定されていないと判断した場合（ステップＳ３０７でＮＯ）、警告画像を警告画像ファイル２５４から読み出す（ステップＳ３１１）。第２制御部２１は読み出した警告画像を表示部２４に表示する（ステップＳ３１２）。これにより、ユーザがピクチャーキー３３２を操作した場合に、画像データが選択されていないという事態を未然に回避することが可能となる。
【０１１２】
本実施の形態６は以上の如き構成としてあり、その他の構成及び作用は実施の形態１乃至５と同様であるので、対応する部分には同一の参照番号を付してその詳細な説明を省略する。
【０１１３】
実施の形態７
実施の形態４では録画日時及びチャンネルの受け付けをレコーダ１４側において実行したが、チューナ１において実行しても良い。図３２及び図３３は実施の形態７に係る録画予約処理の手順を示すフローチャートである。ユーザは録画予約を行う場合、リモコン３から録画予約を開始する旨の信号を、送信部３６を介してチューナ１へ送信する。チューナ１の第１制御部１１は録画予約を開始する旨の信号を、受信部１６を介して受け付ける（ステップＳ３２１）。第１制御部１１は録画予約の開始情報を、ＣＥＣ線４２を介して、液晶ディスプレイ２へ出力する（ステップＳ３２２）。
【０１１４】
液晶ディスプレイ２の第２制御部２１は、録画予約の開始情報の受信に基づき、記憶部２５に予め記憶した録画予約用の画面を表示部２４に表示する（ステップＳ３２３）。ユーザは、液晶ディスプレイ２に表示された画面を参照しながら、リモコン３を操作することにより、録画を希望する日時及びチャンネルを入力する。リモコン３の制御部３１は入力された録画日時及びチャンネルをチューナ１へ送信する。チューナ１の第１制御部１１は受信部１６を介して、録画日時及びチャンネルを受け付ける（ステップＳ３２４）。
【０１１５】
第１制御部１１は録画日時及びチャンネルを記憶部１５に記憶する（ステップＳ３２５）。第１制御部１１は録画予約の設定が終了したことを示す情報を、ＣＥＣ線４２を介して液晶ディスプレイ２へ出力する（ステップＳ３２６）。液晶ディスプレイ２の第２制御部２１は当該情報を受け付けた場合、録画予約が設定されたことを示す発光部たるＬＥＤ（図示せず）をオンする（ステップＳ３２７）。
【０１１６】
その後、チューナ１の第１制御部１１は、実施の形態１のステップＳ７３及び実施の形態３のステップＳ１７５で述べた如く第１操作データを液晶ディスプレイ２へ出力する（ステップＳ３２８）。また第１制御部１１は、レコーダ７に対し、スタンバイ信号を出力する（ステップＳ３２９）。レコーダ７は、スタンバイ状態へ移行する。液晶ディスプレイ２の第２制御部２１は、第１操作データの受け付けをトリガに、上述した点灯中の録画予約が設定されたことを示すＬＥＤをオフとする（ステップＳ３３１）。液晶ディスプレイ２の第２制御部２１は表示部２４に、画像データを表示する（ステップＳ３３２）。これにより、画像データが表示された際もＬＥＤによるまぶしさを低減することが可能となる。チューナ１の第１制御部１１はこの状況下において、時計部１８の出力を参照し、録画日時に達したか否かを判断する（ステップＳ３３３）。第１制御部１１は録画日時に達していないと判断した場合（ステップＳ３３３でＮＯ）、録画日時に達するまで待機する。
【０１１７】
一方、第１制御部１１は録画日時に達したと判断した場合（ステップＳ３３３でＹＥＳ）、レコーダ７に対し、録画を開始すべき旨の信号を、ＣＥＣ線４２を介して出力する（ステップＳ３３４）。レコーダ７の第３制御部７１は、ハードディスク７６Ｈ及びハードディスク駆動制御部７６２を起動する（ステップＳ３３５）。以降の処理は実施の形態４のステップＳ２０６以降と同様であるので詳細な説明は省略する。
【０１１８】
本実施の形態７は以上の如き構成としてあり、その他の構成及び作用は実施の形態１乃至６と同様であるので、対応する部分には同一の参照番号を付してその詳細な説明を省略する。
【０１１９】
実施の形態８
実施の形態８は画像データのサイズを変更する形態に関する。図３４は実施の形態８に係る液晶ディスプレイ２のハードウェア構成を示すブロック図である。液晶ディスプレイ２の記憶部２５はさらに、設定画面ファイル２５５及びサイズテーブル２５６を格納している。設定画面ファイル２５５は表示部２４へ画像データを表示する際のサイズ、表示時間、及び、一枚の画像データあたりの表示時間等を設定する際に読み出される画面データを記憶している。図３５は設定画面のイメージを示す説明図である。第２制御部２１は設定画面ファイル２５５から設定画面を読み出し、表示部２４へ出力する。
【０１２０】
図３５に示すように、画像データを表示する際のサイズを選択する画面が表示される。選択画面中には、サイズ大に係るチェックボックス２６１ａ、サイズ中に係るチェックボックス２６１ｂ、及び、サイズ小に係るチェックボックス２６１ｃが表示されている。サイズ大は、表示部２４の画素全域に亘り画像データを表示する際に選択する。例えば表示部２４の画素数は横方向が１９２０、縦方向が１０８０である。省電力を図る場合は、サイズ中に係るチェックボックス２６１ｂ、または、サイズ小に係るチェックボックス２６１ｃを選択する。
【０１２１】
例えばサイズ中は表示部２４の全画素1920×1080中、横方向１３６６画素及び縦方向７６８画素を用いて画像データを表示する。また、サイズ小は表示部２４の全画素1920×1080中、横方向６４０画素及び縦方向４８０画素を用いて画像データを表示する。ユーザはリモコン３を使用し、サイズ大に係るチェックボックス２６１ａ、サイズ中に係るチェックボックス２６１ｂ、または、サイズ小に係るチェックボックス２６１ｃのいずれかを選択する。なお、本実施の形態においてはサイズを大、中、及び小の３つとしたがあくまで一例でありこれに限るものではない。また縦横の画素数も一例に過ぎない。表示時間入力ボックス２６２には、画像データを表示する際の、総合表示時間を入力する。
【０１２２】
図３５の例では、２時間と入力されている。１枚あたりの表示時間入力ボックス２６３には、一枚の画像データを表示する時間を入力する。１枚あたりの表示時間入力ボックス２６３に入力された時間が経過した場合、次の画像が表示部２４へ出力される。ユーザはサイズ、表示時間及び１枚あたりの表示時間の入力を終えた場合、終了ボタン２４７を操作する。これら入力された情報は記憶部２５に記憶される。第２制御部２１は画像データを表示する際、時計部２８の出力を参照し、記憶部２５に記憶した１枚あたりの表示時間に従い、画像データを順次切り替えて表示を行う。また、第２制御部２１は時計部２８の出力及び記憶部２５に記憶した表示時間を参照し、第１操作データ受信後、総合表示時間経過後に、表示部２４への画像データの出力を停止し、スタンバイ状態へ移行する。なお、サイズに基づく制御は後述する。
【０１２３】
図３６はサイズテーブル２５６のレコードレイアウトを示す説明図である。サイズテーブル２５６はサイズフィールド、画素フィールド及び消灯ＬＥＤ情報フィールドを含む。サイズフィールドには、表示部２４に画像データを表示する際のサイズが記憶されている。画素フィールドには、サイズに対応づけて、画像データを表示する際の画素が記憶されている。消灯ＬＥＤ情報フィールドにはサイズに対応づけて、表示部２４裏面にて画像データを照射すべく分散配置された複数の発光素子であるＬＥＤバックライト２１０の内、消灯すべきＬＥＤバックライト２１０の情報が記憶されている。例えば、消灯すべきＬＥＤバックライト２１０を特定するためのＩＤが記憶されている。上述の例では、サイズ大の場合、全ての画素を利用するため消灯するＬＥＤバックライト２１０は０と記憶されている。この場合、信号処理部２９は複数のＬＥＤバックライト２１０の全てを点灯させる。一方、サイズ中の場合は、画像データを表示する領域が小さくなるため、消灯すべきＬＥＤバックライト２１０のＩＤが複数記憶されている。この場合、信号処理部２９は複数のＬＥＤバックライト２１０の内、サイズ中に係る消灯すべきＬＥＤバックライト２１０のＩＤに対応するＬＥＤバックライト２１０を消灯する。さらに、サイズ小の場合は、画像データを表示する領域がさらに小さくなるため、より多くの消灯すべきＬＥＤバックライト２１０のＩＤが複数記憶されている。この場合、信号処理部２９は複数のＬＥＤバックライト２１０の内、サイズ小に係る消灯すべきＬＥＤバックライト２１０のＩＤに対応するＬＥＤバックライト２１０を消灯する。なお、消灯するＬＥＤバックライト２１０のＩＤではなく、点灯するＬＥＤバックライト２１０のＩＤを記憶しても良いことはもちろんである。以下では消灯するＬＥＤバックライト２１０のＩＤを消灯ＬＥＤ情報という。
【０１２４】
図３７及び図３８は画像データの表示サイズ設定処理の手順を示すフローチャートである。ユーザはリモコン３から図示しない設定画面の表示要求を行うためのボタンを入力する。リモコン３の制御部３１は送信部３６を介して、設定画面の表示要求をチューナ１へ送信する。チューナ１の第１制御部１１は受信部１６を介して、設定画面の表示要求を受け付ける（ステップＳ３７１）。第１制御部１１は設定画面の表示要求を、ＣＥＣ線４２を介して液晶ディスプレイ２へ出力する（ステップＳ３７２）。液晶ディスプレイ２の第２制御部２１はＣＥＣ線４２を介して出力された表示要求を受け付ける。
【０１２５】
第２制御部２１は設定画面を設定画面ファイル２５５から読み出す（ステップＳ３７３）。第２制御部２１は読み出した設定画面を表示部２４へ出力する（ステップＳ３７４）。ユーザはリモコン３の操作方向ボタン３３０を用いて、サイズ大に係るチェックボックス２６１ａ、サイズ中に係るチェックボックス２６１ｂ、または、サイズ小に係るチェックボックス２６１ｃのいずれかを選択する。最後に操作方向ボタン３３０を用いて終了ボタン２４７を選択し、決定ボタン３３８を操作する。リモコン３の制御部３１は送信部３６を介して、画像データのサイズをチューナ１へ送信する。チューナ１の第１制御部１１はリモコン３から送信されたサイズを、受信部１６を介して受け付ける（ステップＳ３７５）。
【０１２６】
第１制御部１１は受け付けたサイズを、ＣＥＣ線４２を介して液晶ディスプレイ２へ出力する（ステップＳ３７６）。なお、本実施の形態においてはサイズに関する情報として、大、中または小の情報を送受信することとしたが、1366×768等、画素の情報を送信しても良い。液晶ディスプレイ２の第２制御部２１は、ＣＥＣ線４２を介して出力されたサイズを受信する（ステップＳ３７７）。第２制御部２１は受信したサイズを記憶部２５に記憶する（ステップＳ３７８）。
【０１２７】
チューナ１の第１制御部１１は実施の形態１で述べた如く画像データを表示するための第１操作データを、ＣＥＣ線４２を介して液晶ディスプレイ２へ出力する（ステップＳ３７９）。液晶ディスプレイ２の第２制御部２１は、ＣＥＣ線４２を介して出力された第１操作データを受信する。第２制御部２１は第１操作データの受信をトリガに、記憶部２５に記憶したサイズに対応する画素及び消灯ＬＥＤ情報を、サイズテーブル２５６から読み出す（ステップＳ３８１）。第２制御部２１は画素及び消灯ＬＥＤ情報を信号処理部２９へ出力する（ステップＳ３８２）。第２制御部２１は画像データファイル２５１から表示すべき画像データを読み出す（ステップＳ３８３）。信号処理部２９は、出力されたサイズに従い画像データを、そのままの倍率で、または、適宜縮小した上で、表示部２４へ画像データを表示する（ステップＳ３８４）。さらに、信号処理部２９は出力された消灯ＬＥＤ情報に従い、ＬＥＤバックライト２１０を消灯する（ステップＳ３８５）。従って、ユーザのサイズ設定により、画像データの表示に不要なＬＥＤバックライト２１０の一部が消灯されるため、画像データを表示しつつも、さらなる省電力を図ることが可能となる。
【０１２８】
本実施の形態８は以上の如き構成としてあり、その他の構成及び作用は実施の形態１乃至７と同様であるので、対応する部分には同一の参照番号を付してその詳細な説明を省略する。
【０１２９】
以上の実施の形態１乃至８を含む実施形態に関し、さらに以下の付記を開示する。
（付記１）
映像出力装置及び該映像出力装置から出力される映像を表示する表示装置を有する表示システムにおいて、
前記映像出力装置は、
前記表示装置内部の記憶部に記憶された複数の候補画像の内、前記表示装置に表示する画像を選択するための選択画面の表示要求を前記表示装置へ出力する要求出力手段を備え、
前記表示装置は、
前記要求出力手段により表示要求を受け付けた場合、前記記憶部に記憶した前記複数の候補画像のサムネイルを含む選択画面を表示する選択画面表示手段を備え、
前記映像出力装置は、
前記要求出力手段により表示要求を出力した後に、前記選択画面に関連して操作方向に関する第１命令及び選択処理に関する第２命令を外部から受け付ける命令受け付け手段と、
該命令受け付け手段により受け付けた第１命令及び第２命令を前記表示装置へ送信する命令送信手段とを備え、
前記表示装置は、
前記命令送信手段により送信された第１命令及び第２命令を受信する命令受信手段と、
該命令受信手段により受信した第１命令及び第２命令に基づき選択された画像を、表示すべき画像として前記記憶部に記憶する表示画像記憶手段
を備えることを特徴とする表示システム。
【０１３０】
（付記２）
前記映像出力装置は、
前記表示装置が前記映像を表示している場合に、前記表示画像記憶手段により前記記憶部に記憶された表示すべき画像を表示させるための指示情報を受け付ける受け付け手段と、
該受け付け手段により受け付けた指示情報を前記表示装置へ出力する出力手段と、
前記受け付け手段により指示情報を受け付けた後に、映像の受信及び映像の出力を停止する停止手段とを備え、
前記表示装置は、
前記出力手段により出力された指示情報を受信した場合に、前記表示画像記憶手段により前記記憶部に記憶した画像を表示する表示手段
を備えることを特徴とする付記１に記載の表示システム。
【０１３１】
（付記３）
前記表示画像記憶手段は、
前記命令送信手段により送信された第１命令に従い、一のサムネイルを特定する特定手段と、
前記命令送信手段により送信された第２命令に従い、前記特定手段により特定された一のサムネイルに係る画像を、表示すべき画像として前記記憶部に記憶する手段と
を備えることを特徴とする付記１または２に記載の表示システム。
【０１３２】
（付記４）
前記表示装置は、
前記記憶部に、前記複数の候補画像とは異なる警告用の画像を記憶する警告画像記憶手段と、
前記表示画像記憶手段による表示すべき画像が前記記憶部に記憶されていない場合であり、かつ、前記出力手段により出力された指示情報を受信した場合に、前記警告画像記憶手段により記憶部に記憶した警告用の画面を表示部に表示する手段と
を備えることを特徴とする付記１乃至３のいずれか一つに記載の表示システム。
【０１３３】
（付記５）
映像出力装置及び該映像出力装置から出力される映像を表示する表示装置を有する表示システムにおいて、
前記映像出力装置は、
前記表示装置が前記映像を表示している場合に、前記表示装置内部の記憶部に記憶された画像を表示させるための指示情報を受け付ける受け付け手段と、
該受け付け手段により受け付けた指示情報を前記表示装置へ出力する出力手段と、
前記受け付け手段により指示情報を受け付けた後に、映像の受信及び映像の出力を停止する停止手段とを備え、
前記表示装置は、
前記出力手段により出力された指示情報を受信した場合に、前記記憶部に記憶した画像を表示する表示手段
を備えることを特徴とする表示システム。
【０１３４】
（付記６）
前記映像出力装置は、
前記表示手段により表示する画像のサイズに関する情報を受け付けるサイズ受け付け手段と、
該サイズ受け付け手段により受け付けたサイズに関する情報を前記表示装置へ出力するサイズ出力手段とを備え、
前記表示手段は、
前記出力手段により出力された指示情報を受信した場合に、前記サイズ出力手段により出力されたサイズに関する情報に基づき、前記記憶部に記憶した画像を表示するよう構成してある
ことを特徴とする付記５に記載の表示システム。
【０１３５】
（付記７）
前記表示装置は、
前記表示手段により表示される画像を照射する分散配置された複数の発光素子と、
前記出力手段により出力された指示情報を受信した場合に、前記サイズ出力手段により出力されたサイズに関する情報に基づき、前記複数の発光素子の一部を消灯する手段と
を備えることを特徴とする付記６に記載の表示システム。
【図面の簡単な説明】
【０１３６】
【図１】表示システムの概要を示す模式図である。
【図２】チューナのハードウェア構成を示すブロック図である。
【図３】液晶ディスプレイのハードウェア構成を示すブロック図である。
【図４】リモコンのハードウェア構成を示すブロック図である。
【図５】モードファイルのレコードレイアウトを示す説明図である。
【図６】画像データの表示処理手順を示すフローチャートである。
【図７】画像データの表示処理手順を示すフローチャートである。
【図８】画像データ表示後に映像データの表示を再開する手順を示すフローチャートである。
【図９】画像データ表示後に映像データの表示を再開する手順を示すフローチャートである。
【図１０】実施の形態２に係るチューナのハードウェア構成を示すブロック図である。
【図１１】画像データを表示している場合に、視聴予約時間に達した際の処理手順を示すフローチャートである。
【図１２】画像データを表示している場合に、視聴予約時間に達した際の処理手順を示すフローチャートである。
【図１３】実施の形態３に係る表示システムの概要を示す模式図である。
【図１４】レコーダのハードウェア構成を示すブロック図である。
【図１５】点灯処理手順を示すフローチャートである。
【図１６】点灯処理手順を示すフローチャートである。
【図１７】レコーダに対する処理手順を示すフローチャートである。
【図１８】レコーダに対する処理手順を示すフローチャートである。
【図１９】実施の形態４に係るレコーダのハードウェア構成を示すブロック図である。
【図２０】録画予約処理の手順を示すフローチャートである。
【図２１】実施の形態５に係る液晶ディスプレイのハードウェア構成を示すブロック図である。
【図２２】選択画面の表示イメージを示す説明図である。
【図２３】画像データファイルのレコードレイアウトを示す説明図である。
【図２４】画像データ選択処理の手順を示すフローチャートである。
【図２５】画像データ選択処理の手順を示すフローチャートである。
【図２６】画像データ選択処理の手順を示すフローチャートである。
【図２７】画像データ選択処理の手順を示すフローチャートである。
【図２８】実施の形態６に係る液晶ディスプレイのハードウェア構成を示すブロック図である。
【図２９】表示部に表示される警告画像の表示イメージを示す説明図である。
【図３０】警告画像の表示処理手順を示すフローチャートである。
【図３１】警告画像の表示処理手順を示すフローチャートである。
【図３２】実施の形態７に係る録画予約処理の手順を示すフローチャートである。
【図３３】実施の形態７に係る録画予約処理の手順を示すフローチャートである。
【図３４】実施の形態８に係る液晶ディスプレイ２のハードウェア構成を示すブロック図である。
【図３５】設定画面のイメージを示す説明図である。
【図３６】サイズテーブルのレコードレイアウトを示す説明図である。
【図３７】画像データの表示サイズ設定処理の手順を示すフローチャートである。
【図３８】画像データの表示サイズ設定処理の手順を示すフローチャートである。
【符号の説明】
【０１３７】
１      チューナ
２      液晶ディスプレイ
３      リモコン
４      ＨＤＭＩケーブル
５      壁
６      ＵＳＢメモリ
７      レコーダ
８      オーディオアンプ
９      ＬＥＤランプ
１１    第１制御部
１３    入力部
１５    記憶部
１５Ｐ  制御プログラム
１６    受信部
１８    時計部
１９    放送受信部
２１    第２制御部
２２    ＬＥＤ
２３    入力部
２４    表示部
２５    記憶部
２５Ｐ  制御プログラム
２６    受信部
２８    時計部
２９    信号処理部
３１    制御部
３６    送信部
６５    画像データファイル
７１    第３制御部
７３    入力部
７６    受信部
７４    表示部
７５    記憶部
７５Ｐ  制御プログラム
７６Ｈ  ハードディスク
７８    時計部
７９    信号処理部
１２１  第１ＬＥＤ
１２２  第２ＬＥＤ
１５１  視聴予約ファイル
１９１  信号処理部
１９２  ＨＤＭＩ信号送信部
２１０  ＬＥＤバックライト
２１１  ＵＳＢスロット
２４７  終了ボタン
２４８  カーソル
２５１  画像データファイル
２５２  モードファイル
２５３  選択画面ファイル
２５４  警告画像ファイル
２９１  データ分離部
２９２  ＨＤＭＩ信号受信部
２９３  スピーカ
３３０  操作方向ボタン
３３１  電源キー
３３２  ピクチャーキー
３３３  終了キー
３３８  決定ボタン
３３９  メニューボタン
７１０  ディスクドライブ
７１１  ディスク制御部
７２１  第１ＬＥＤ
７２２  第２ＬＥＤ
７５１  録画予約ファイル
７６２  ハードディスク駆動制御部
７９２  信号受信部
７９３  ＨＤＭＩ信号送信部
Ｓ      サムネイル
ｃ      チェックボックス
【図１】
2010056831.tif 000003
【図２】
2010056831.tif 000004
【図３】
2010056831.tif 000005
【図４】
2010056831.tif 000006
【図５】
2010056831.tif 000007
【図６】
2010056831.tif 000008
【図７】
2010056831.tif 000009
【図８】
2010056831.tif 000010
【図９】
2010056831.tif 000011
【図１０】
2010056831.tif 000012
【図１１】
2010056831.tif 000013
【図１２】
2010056831.tif 000014
【図１３】
2010056831.tif 000015
【図１４】
2010056831.tif 000016
【図１５】
2010056831.tif 000017
【図１６】
2010056831.tif 000018
【図１７】
2010056831.tif 000019
【図１８】
2010056831.tif 000020
【図１９】
2010056831.tif 000021
【図２０】
2010056831.tif 000022
【図２１】
2010056831.tif 000023
【図２２】
2010056831.tif 000024
【図２３】
2010056831.tif 000025
【図２４】
2010056831.tif 000026
【図２５】
2010056831.tif 000027
【図２６】
2010056831.tif 000028
【図２７】
2010056831.tif 000029
【図２８】
2010056831.tif 000030
【図２９】
2010056831.tif 000031
【図３０】
2010056831.tif 000032
【図３１】
2010056831.tif 000033
【図３２】
2010056831.tif 000034
【図３３】
2010056831.tif 000035
【図３４】
2010056831.tif 000036
【図３５】
2010056831.tif 000037
【図３６】
2010056831.tif 000038
【図３７】
2010056831.tif 000039
【図３８】
2010056831.tif 000040